(57)【要約】  放送画像出力装置（１１０）は、放送を受信する受信部（１１２）と、ダウンロードサーバと通信する通信部（１１３）と、複数のホーム画面（２００）のそれぞれを出力する出力部（１１４）と、複数のホーム画面（２００）を記憶する記憶部（１１６）と、複数のホーム画面（２００）のいずれかを選択し、電源オン後の初期画面として出力部（１１４）に出力させる制御部（１１５）とを備え、制御部（１１５）は、通信部（１１３）を介して新規ホーム画面のダウンロード処理を実行し、ホーム関連情報を記憶部（１１６）に記憶させ、ホーム関連情報を用いて構成された新規ホーム画面を初期画面として出力部（１１４）に出力させる。
2015029313.tif 000002
【特許請求の範囲】
【請求項１】
ダウンロードサーバと通信可能な放送画像出力装置であって、
放送を受信する受信部と、
前記ダウンロードサーバと通信する通信部と、
複数のホーム画面であって、それぞれが、表示領域の部分毎に、前記放送に関する放送画像である第一画像及び前記放送画像以外の画像である第二画像のいずれか一方を配置可能な複数のホーム画面のそれぞれを出力する出力部と、
前記複数のホーム画面を記憶する記憶部と、
前記複数のホーム画面のいずれかを選択し、選択したホーム画面を、前記放送画像出力装置の電源オン後の初期画面として前記出力部に出力させる制御部と、を備え、
前記制御部は、（ａ）前記通信部を介して、前記記憶部に記憶されていないホーム画面である新規ホーム画面のダウンロード処理を実行し、（ｂ）前記ダウンロード処理により前記ダウンロードサーバからダウンロードされた、前記新規ホーム画面の少なくとも一部を構成するホーム関連情報を前記記憶部に記憶させ、かつ、（ｃ）前記ホーム関連情報を用いて構成された前記新規ホーム画面を前記初期画面として前記出力部に出力させる、
放送画像出力装置。
【請求項２】
前記制御部は、前記ダウンロード処理として、前記ホーム関連情報である、前記新規ホーム画面のスクリーン情報をダウンロードする第１のダウンロード処理を実行し、
前記スクリーン情報は、
前記新規ホーム画面の背景画像、前記新規ホーム画面に配置される１以上の第二画像それぞれと対応付けられたアプリケーションプログラムの識別子、および、前記１以上の第二画像の表示位置情報のうちの少なくとも１つを含む、
請求項１に記載の放送画像出力装置。
【請求項３】
前記制御部は、前記新規ホーム画面が、前記１以上の第二画像が配置されるホーム画面である場合、前記ダウンロード処理としてさらに第２のダウンロード処理を実行し、
前記第２のダウンロード処理では、前記ホーム関連情報である、前記１以上の第二画像のそれぞれと対応付けられたアプリケーションプログラムがダウンロードされる、
請求項２に記載の放送画像出力装置。
【請求項４】
前記制御部は、前記第２のダウンロード処理において、前記１以上の第二画像のそれぞれと対応付けられたアプリケーションプログラムのうち、前記記憶部に記憶されていないアプリケーションプログラムをダウンロードする、
請求項３に記載の放送画像出力装置。
【請求項５】
前記制御部は、前記第１のダウンロード処理の実行後に前記新規ホーム画面を前記初期画面として前記出力部に出力させ、かつ、前記新規ホーム画面に対応付けられたアプリケーションプログラムの起動要求がなされた場合に、前記第２のダウンロード処理を実行する、
請求項３または４に記載の放送画像出力装置。
【請求項６】
前記制御部は、
前記ダウンロード処理においてさらに、前記新規ホーム画面と対応付けられたインストール識別子をダウンロードし、前記ホーム関連情報に対応付けて前記インストール識別子を前記記憶部に記憶させ、
前記記憶部に記憶されている前記インストール識別子を、前記通信部を介して前記ダウンロードサーバに送信する、
請求項１〜５のいずれか１項に記載の放送画像出力装置。
【請求項７】
前記制御部は、前記ダウンロード処理において、前記ホーム関連情報である、前記新規ホーム画面に配置される１以上の第二画像の表示位置情報、及び、前記１以上の第二画像それぞれと対応付けられたアプリケーションプログラムを前記ダウンロードサーバからダウンロードする、
請求項１に記載の放送画像出力装置。
【請求項８】
放送画像出力装置と通信可能なダウンロードサーバであって、
前記放送画像出力装置と通信する通信部と、
表示領域の部分毎に、前記放送に関する放送画像である第一画像及び前記放送画像以外の画像である第二画像のいずれか一方を配置可能なホーム画面の、少なくとも一部を構成するホーム関連情報を記憶する記憶部と、
前記記憶部から読み出した前記ホーム関連情報を、前記通信部を介して前記放送画像出力装置に送信する制御部とを備える、
ダウンロードサーバ。
【請求項９】
前記制御部は、
前記ホーム関連情報を送信する場合、前記通信部を介して、前記ホーム画面と対応付けられたインストール識別子を前記放送画像出力装置に送信し、
前記通信部が、前記インストール識別子を送信した後に前記放送画像出力装置の識別子である端末識別子を受信し、かつ、前記インストール識別子を受信しなかった場合、前記ホーム画面の識別子であるホーム識別子を、前記通信部を介して前記放送画像出力装置に送信する、
請求項８に記載のダウンロードサーバ。
【請求項１０】
前記制御部は、前記記憶部に、前記放送画像出力装置を管理する管理テーブルを記憶させ、
前記管理テーブルには、前記放送画像出力装置の識別子である端末識別子と、前記放送画像出力装置に送信した又は送信すべきホーム関連情報に対応するホーム画面の識別子であるホーム識別子と、前記ホーム関連情報が送信される場合に制御部が発行するインストール識別子とが対応付けて登録されており、
前記制御部はさらに、前記管理テーブルにおいて、インストール識別子が対応付けられていないホーム識別子が存在する場合、当該ホーム識別子を、前記通信部を介して、前記放送画像出力装置に送信する、
請求項８に記載のダウンロードサーバ。
【請求項１１】
ダウンロードサーバと通信可能な放送画像出力装置の制御方法であって、
前記放送画像出力装置は、それぞれが、表示領域の部分毎に、前記放送画像出力装置が受信する放送に関する放送画像及び前記放送画像以外の画像のいずれか一方を配置可能な複数のホーム画面を記憶する記憶部を備え、
前記制御方法は、
前記複数のホーム画面のいずれかを選択し、選択したホーム画面を、前記放送画像出力装置の電源オン後の初期画面として出力部に出力させる出力ステップと、
前記ダウンロードサーバと通信を行い、新規ホーム画面のダウンロード処理を実行するダウンロード処理ステップと、
前記ダウンロード処理ステップにおいて前記ダウンロードサーバからダウンロードされた、前記新規ホーム画面の少なくとも一部を構成するホーム関連情報を前記記憶部に記憶させる記憶ステップとを含み、
前記出力ステップでは、前記ホーム関連情報を用いて構成された前記新規ホーム画面を、前記初期画面として前記出力部に出力させる、
放送画像出力装置の制御方法。
【請求項１２】
放送画像出力装置と通信可能なダウンロードサーバの制御方法であって、
表示領域の部分毎に、前記放送に関する放送画像である第一画像及び前記放送画像以外の画像である第二画像のいずれか一方を配置可能なホーム画面の少なくとも一部を構成するホーム関連情報を記憶部に記憶させる記憶ステップと、
前記ホーム関連情報を前記記憶部から読み出して前記放送画像出力装置に送信する送信ステップとを含む、
ダウンロードサーバの制御方法。
【発明の詳細な説明】
【技術分野】
【０００１】
本開示は、放送画像の出力が可能な放送画像出力装置、放送画像出力装置と通信するダウンロードサーバ、およびこれらの制御方法に関する。
【背景技術】
【０００２】
特許文献１は、移動通信端末の表示部に着信待ち受け画面等の用途で表示される画像を、ユーザが簡易にカスタマイズできる技術を開示する。移動通信端末は、ＩＰ（Ｉｎｆｏｒｍａｔｉｏｎ  Ｐｒｏｖｉｄｅｒ）サーバが提供するサイト画面データをダウンロードし、着信待ち受け画面として利用する。
【先行技術文献】
【特許文献】
【０００３】
【特許文献１】特許第３８２５６３９号公報
【発明の概要】
【発明が解決しようとする課題】
【０００４】
本開示は、背景画像、表示位置情報、アプリケーションプログラム等の複数の情報から構成される、初期画面として設定可能な新規ホーム画面を、ユーザの要求等に応じて効率よくダウンロードすることが可能な放送画像出力装置等を提供する。
【課題を解決するための手段】
【０００５】
本開示における放送画像出力装置は、ダウンロードサーバと通信可能な放送画像出力装置であって、放送を受信する受信部と、ダウンロードサーバと通信する通信部と、複数のホーム画面であって、それぞれが、表示領域の部分毎に、放送に関する放送画像である第一画像及び放送画像以外の画像である第二画像のいずれか一方を配置可能な複数のホーム画面のそれぞれを出力する出力部と、複数のホーム画面を記憶する記憶部と、複数のホーム画面のいずれかを選択し、選択したホーム画面を、放送画像出力装置の電源オン後の初期画面として出力部に出力させる制御部と、を備え、制御部は、（ａ）通信部を介して、記憶部に記憶されていないホーム画面である新規ホーム画面のダウンロード処理を実行し、（ｂ）ダウンロード処理によりダウンロードサーバからダウンロードされた、新規ホーム画面の少なくとも一部を構成するホーム関連情報を記憶部に記憶させ、かつ、（ｃ）ホーム関連情報を用いて構成された新規ホーム画面を初期画面として出力部に出力させる。【０００６】
また、本開示におけるダウンロードサーバは、放送画像出力装置と通信可能なダウンロードサーバであって、放送画像出力装置と通信する通信部と、表示領域の部分毎に、放送に関する放送画像である第一画像及び放送画像以外の画像である第二画像のいずれか一方を配置可能なホーム画面の、少なくとも一部を構成するホーム関連情報を記憶する記憶部と、記憶部から読み出したホーム関連情報を、通信部を介して放送画像出力装置に送信する制御部とを備える。
【発明の効果】
【０００７】
本開示における放送画像出力装置等によれば、新規ホーム画面を、ユーザの要求に応じて、または放送画像出力装置の状態に応じて効率的にダウンロードし、簡単に初期画面として設定することができる。
【図面の簡単な説明】
【０００８】
【図１】図１は、実施の形態におけるテレビおよびリモコンの外観を示す図である。
【図２】図２は、実施の形態におけるテレビの基本的な機能構成を示すブロック図である。
【図３】図３は、実施の形態における放送画像出力装置の基本的な起動時の動作を示すフローチャートである。
【図４】図４は、実施の形態におけるホーム画面の基本構成の一例を示す図である。
【図５】図５は、実施の形態におけるホーム画面の２種類の例を示す図である。
【図６Ａ】図６Ａは、実施の形態におけるテレビとダウンロードサーバとの関係を示す図である。
【図６Ｂ】図６Ｂは、実施の形態における放送画像出力装置が実行する、新規ホーム画面の追加に関する基本的な処理の流れを示すフローチャートである。
【図７】図７は、実施の形態における、ダウンロード機能を含むホーム画面の例を示す図である。
【図８】図８は、実施の形態における追加用画面の一例を示す図である。
【図９】図９は、実施の形態におけるダウンロード実行画面の一例を示す図である。
【図１０】図１０は、実施の形態のホーム画面ダウンロード処理における通信シーケンスの一例を示す図である。
【図１１】図１１は、実施の形態におけるダウンロードサーバが保持する管理テーブルのデータ構成例を示す図である。
【図１２】図１２は、実施の形態におけるスクリーン情報データ構成例と、当該スクリーン情報を用いて構成されるホーム画面の例とを示す図である。
【図１３】図１３は、実施の形態におけるアプリダウンロード処理の基本的な処理の流れを示すフローチャートである。
【図１４】図１４は、実施の形態におけるアプリダウンロード処理の流れの別の一例を示すフローチャートである。
【図１５】図１５は、実施の形態における放送画像出力装置の自動的なダウンロード処理における通信シーケンスの一例を示す図である。
【図１６】図１６は、実施の形態における管理テーブルのデータ構成の別の一例を示す図である。
【図１７】図１７は、実施の形態におけるダウンロードサーバが行うインストールＩＤの比較処理を説明するための図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって請求の範囲に記載の主題を限定することを意図するものではない。また、各図は、模式図であり、必ずしも厳密に図示したものではない。
【００１１】
（実施の形態）
以下、図１〜図１５を用いて、実施の形態における放送画像出力装置およびダウンロードサーバについて説明する。
【００１２】
［１−１．放送画像出力装置の構成］
図１は、実施の形態におけるテレビ１００およびリモコン１７０の外観を示す図である。図２は、実施の形態におけるテレビ１００の基本的な機能構成を示すブロック図である。図１および図２に示すように、テレビ１００は、放送画像出力装置１１０とディスプレイ１５０とを備える。
【００１３】
テレビ１００は、ユーザが操作するリモコン（ｒｅｍｏｔｅ  ｃｏｎｔｒｏｌ／ｒｅｍｏｔｅ  ｃｏｎｔｒｏｌｌｅｒ）１７０からの信号に従ってチャンネルの切り替え等の動作を実行することができる。
【００１４】
具体的には、リモコン１７０は複数のキーを有し、ユーザによって押下されたキーに応じた指示を示す信号を、例えば赤外線でテレビ１００に送信する。なお、リモコン１７０とテレビ１００との間の通信方式には特に限定はなく、例えば、Ｂｌｕｅｔｏｏｔｈ（登録商標）等の無線通信によってリモコン１７０とテレビ１００との間で双方向通信が行われてもよい。
【００１５】
また、リモコン１７０は複数のキーを有するもの以外に、タッチパッド等のポインティングデバイスを有するリモコンであってもよい。あるいは、テレビ１００を操作可能なアプリケーションプログラムが搭載されたスマートフォンが、リモコン１７０として用いられてもよい。
【００１６】
テレビ１００は、図２に示す機能ブロック以外に、スピーカ等の、テレビ受像機として備えるべき他の構成要素も備えているが、本開示の内容を明確に説明するために、これら他の構成要素についての図示および説明は省略する。
【００１７】
放送画像出力装置１１０は、図２に示すように、受信部１１２と、通信部１１３と、出力部１１４と、制御部１１５と、記憶部１１６とを備える。
【００１８】
受信部１１２は、テレビ１００のチューナ（図２に図示せず）が受信する、地上波放送、衛星放送、ケーブル放送、または、インターネット放送等の放送を受信する。なお、受信部１１２がチューナとして機能してもよい。
【００１９】
通信部１１３は、後述するダウンロードサーバ３００と通信する。具体的には、通信部１１３は、制御部１１５からの指示に応じて、ダウンロードサーバ３００と通信して初期画面およびアプリケーションプログラムをダウンロードするための通信インタフェースである。なお、本実施の形態では、初期画面としてホーム画面２００が扱われる。
【００２０】
出力部１１４は、複数のホーム画面２００のそれぞれを出力することができる。出力されたホーム画面２００は、ディスプレイ１５０に表示される。
【００２１】
制御部１１５は、複数のホーム画面２００のいずれかを選択し、選択したホーム画面２００を、放送画像出力装置１１０の電源オン後の初期画面として出力部１１４に出力させる。本実施の形態では、初期画面は、使用者の操作を受け付けることのできる画面である。
【００２２】
制御部１１５は、例えば、ＣＰＵ（Ｃｅｎｔｒａｌ  Ｐｒｏｃｅｓｓｉｎｇ  Ｕｎｉｔ）等のプロセッサによって実現され、リモコン１７０を介したユーザ要求に応じて、通信部１１３、出力部１１４、および記憶部１１６を制御する。
【００２３】
そして、制御部１１５は、ホーム画面２００のダウンロード処理（本実施の形態では、ホーム画面ダウンロード処理およびアプリダウンロード処理）を実行する。ダウンロード処理の詳細は後ほど説明する。
【００２４】
記憶部１１６は、各種情報を格納する記憶装置である。なお、記憶部１１６は、放送画像出力装置１１０に備えられていなくてもよい。例えば放送画像出力装置１１０の外部のＨＤＤ（Ｈａｒｄ  Ｄｉｓｋ  Ｄｒｉｖｅ）またはフラッシュメモリ等の半導体メモリが、記憶部１１６として扱われてもよい。また、放送画像出力装置１１０の内部または外部に備えられたＲＡＭ（Ｒａｎｄｏｍ  Ａｃｃｅｓｓ  Ｍｅｍｏｒｙ）等のメモリが、記憶部１１６として扱われてもよい。
【００２５】
ホーム画面２００のそれぞれには、例えば図１に示すように、表示領域の部分毎に、受信部１１２により受信した放送に関する放送画像２１０、および、放送画像２１０以外の画像のいずれか一方が配置されている。
【００２６】
ホーム画面２００は、テレビ１００の起動時に表示される初期画面として機能するほか、ユーザによるリモコン１７０の所定操作によって任意のタイミングで表示可能な、テレビ１００におけるデフォルトの画面としても機能する。
【００２７】
本実施の形態では、放送画像２１０として、受信部１１２により受信した放送の再生映像（動画像）がホーム画面２００に表示される。放送画像２１０以外の画像のそれぞれは、本実施の形態では、アプリ画像２２０である。なお、放送画像２１０は第一画像の一例であり、アプリ画像２２０は、第二画像の一例である。
【００２８】
アプリ画像２２０とは、例えば放送画像出力装置１１０が実行可能なアプリケーションプログラム（以降、アプリ（ａｐｐ（ｓ））と称す）に対応付けられた画像である。
【００２９】
つまり、アプリ画像２２０は、アプリが実行されることで表示される画像、アプリの起動のためのアイコン、アプリに処理されるデータに対応するアイコン、または、所定のＷｅｂサイトに対応するアイコン（Ｗｅｂクリップアイコン）などである。
【００３０】
例えば、図１に示すホーム画面２００では、比較的大きな１つの放送画像２１０と、７つのアプリ画像２２０とが配置されている。
【００３１】
なお、複数のアプリ画像２２０、および、これらアプリ画像２２０のそれぞれに対応付けられたアプリは、例えば記憶部１１６に格納されており、各アプリは、制御部１１５に読み出されて実行される。また、ホーム画面２００に配置されたアプリ画像２２０に対応するアプリを、例えば、「ホーム画面２００に配置されたアプリ」と表現する場合もある。
【００３２】
また、記憶部１１６には、放送画像２１０を表示するための放送アプリも格納されており、制御部１１５が放送アプリを実行することで放送画像２１０の表示、ならびに、放送画像２１０の拡大および縮小等の処理が実行される。
【００３３】
さらに、記憶部１１６は、通信部１１３を介してダウンロードサーバ３００からダウンロードしたホーム画面２００のスクリーン情報およびダウンロードしたホーム画面２００に配置されるアプリ（当該アプリに対応するアプリ画像２２０も含む）も格納する。
【００３４】
テレビ１００において、放送画像２１０およびアプリ画像２２０のそれぞれは、ユーザの操作（本実施の形態ではリモコン１７０を用いた操作）による選択が可能である。
【００３５】
例えば、放送画像２１０が選択され、リモコン１７０の決定キーが押下された場合、放送画像２１０は拡大され、例えばディスプレイ１５０の表示領域の全体を用いて表示される。つまり、放送画像２１０は全画面表示される。
【００３６】
また、アプリ画像２２０が選択され、リモコン１７０の決定キーが押下された場合、例えば、アプリ画像２２０に対応付けられたアプリが実行され、当該アプリの処理結果等を示す画像が全画面表示される。
【００３７】
［１−２．放送画像出力装置の基本動作］
次に、実施の形態における放送画像出力装置１１０の基本的な動作について説明する。図３は、実施の形態における放送画像出力装置１１０の基本的な起動時の動作を示すフローチャートである。
【００３８】
制御部１１５は、放送画像出力装置１１０の電源がオンにされた場合（Ｓ１）、複数のホーム画面２００の中から１つのホーム画面２００を選択する（Ｓ２）。
【００３９】
なお、初期画面として選択するホーム画面２００に関する情報は設定情報として記憶部１１６に格納されている。制御部１１５は、記憶部１１６に格納された設定情報に応じてホーム画面２００を選択する。
【００４０】
出力部１１４は、制御部１１５による制御に従って、制御部１１５によって選択されたホーム画面２００を出力する（Ｓ３）。
【００４１】
つまり、制御部１１５は、複数のホーム画面２００の中から選択したホーム画面２００を、電源オン後の初期画面として、出力部１１４に出力させる。具体的には、テレビ１００の電源がユーザによってオンにされることで、放送画像出力装置１１０の電源がオンにされ、その結果、制御部１１５によって選択されたホーム画面２００が、出力部１１４を介してディスプレイ１５０に表示される。
【００４２】
このように、本実施の形態のテレビ１００は、放送画像出力装置１１０を備え、放送画像出力装置１１０は、複数のホーム画面２００のうちの１つのホーム画面２００を、初期画面として出力する。
【００４３】
つまり、テレビ１００の電源がオンにされた場合、互いに異なる種類の複数のホーム画面２００のうちの１つのホーム画面２００が、初期画面として表示される。
【００４４】
なお、「互いに異なる種類の複数のホーム画面２００」とは、表示される画像の種類、レイアウト、または個数などが互いに異なる複数のホーム画面２００のことを意味する。
【００４５】
［１−３．ホーム画面］
次に、図４および図５を用いて、ホーム画面２００の詳細について説明する。図４は、実施の形態におけるホーム画面２００の基本構成の一例を示す図である。
【００４６】
本実施の形態におけるホーム画面２００では、表示領域が複数の部分に区分されている。例えば、図４に示すように、ホーム画面２００における表示領域が、縦４列および横４列（４×４）のグリッド（矩形領域２０１）に区分されている。放送画像２１０およびアプリ画像２２０のそれぞれは、連続する１以上の矩形領域２０１で形成される領域に表示される。
【００４７】
つまり、ホーム画面２００では、表示領域の部分ごとに、放送画像２１０およびアプリ画像２２０のいずれか一方が配置可能である。図４に示す例の場合、放送画像２１０は、縦３列および横３列（３×３）の矩形領域２０１で形成される領域に表示されている。
【００４８】
なお、隣接する矩形領域２０１の間には、背景画像が表示される空隙領域が存在する。つまり、本実施の形態では、表示領域は、空隙を挟んで複数の部分（矩形領域２０１）に区分されている。しかし、複数の矩形領域２０１にまたがって放送画像２１０またはアプリ画像２２０が表示される場合、当該複数の矩形領域２０１において隣接する矩形領域２０１の間の空隙領域は、放送画像２１０またはアプリ画像２２０の表示のための領域として使用される。
【００４９】
また、ホーム画面２００における表示領域の分割数は、４×４には限定されない。例えば、ホーム画面２００を８×８の矩形領域２０１に区分することで、放送画像２１０およびアプリ画像２２０のそれぞれの拡大および縮小を、より多段階に実行することも可能である。
【００５０】
また、ホーム画面２００における、複数の矩形領域２０１の、放送画像２１０またはアプリ画像２２０への割り当てを示す情報（表示位置情報）は、記憶部１１６に格納されている。また、一旦登録されたホーム画面２００の変更、つまり、表示位置情報の更新は可能であり、表示されるアプリ画像２２０の変更も可能である。すなわち、ホーム画面２００は、ユーザによるカスタマイズが可能である。本実施の形態における放送画像出力装置１１０では、さらに、新たなホーム画面２００の追加も可能である。
【００５１】
以下、このようなホーム画面２００の２つの例を、図５を用いて説明する。なお、図５に示す２種類のホーム画面２００は、例えば、テレビ１００の工場出荷時に設定される。
【００５２】
図５の（ａ）は、本実施の形態におけるホーム画面２００の第１の例を示す図である。図５の（ａ）に示すホーム画面２００は、例えば「くらしのホーム」と名付けられたホーム画面２００であり、以下、「くらしのホーム２００ａ」と表記する。
【００５３】
くらしのホーム２００ａは、例えばユーザの一般的な日常生活に必要な情報を効率よくユーザに提供するホーム画面２００である。図５の（ａ）に示す例では、くらしのホーム２００ａには、放送画像２１０に加えて、時計２２１、天気予報２２２、タイマー２２３、写真２２４、カレンダー２２５、メモ２２６、および、広告２２７の、アプリ画像２２０が表示されている。
【００５４】
なお、ホーム画面２００に配置されるアプリ画像２２０（第二画像）の数に特に限定はない。ホーム画面２００に配置されるアプリ画像２２０の数は１であってもよい。
【００５５】
時計２２１は、時刻を表示する時計アプリの画像である。天気予報２２２は、例えば、通信部１１３を介してインターネット経由で取得した天気予報情報を表示する天気予報アプリの画像である。
【００５６】
なお、「アプリの画像」とは、上述のように、アプリを実行することで得られる画像または、アプリの起動のためのアイコン等の、アプリと対応付けられた画像である。
【００５７】
タイマー２２３は、所定の操作により計時を開始するタイマーアプリの画像である。写真２２４は、例えばユーザの所定の操作によって記憶部１１６に格納された写真データを表示する写真アプリの画像である。
【００５８】
カレンダー２２５は、例えば、日ごとの予定等の情報を登録可能なカレンダーアプリの画像である。メモ２２６は、例えば、ユーザの所定の操作により入力されたテキスト情報を蓄積および表示するメモアプリの画像である。
【００５９】
広告２２７は、例えば、通信部１１３を介してインターネット経由で放送画像出力装置１１０が取得した広告画像を表示する広告アプリの画像である。
【００６０】
これらアプリ画像２２０のそれぞれは、静止画、または、少なくとも一部に動画を含む画像である。
【００６１】
例えば、時計２２１は、制御部１１５が時計アプリを実行することで生成される時計の動画を含む画像である。
【００６２】
図５の（ｂ）は、本実施の形態におけるホーム画面２００の第２の例を示す図である。図５の（ｂ）に示すホーム画面２００は、例えば「テレビのホーム」と名付けられたホーム画面２００であり、以下、「テレビのホーム２００ｂ」と表記する。
【００６３】
テレビのホーム２００ｂは、例えば複数の放送番組に関する情報を効率よくユーザに提供するホーム画面２００である。図５の（ｂ）に示す例では、テレビのホーム２００ｂには、放送画像２１０に加えて、裏番組２２８、録画一覧２３０、予約一覧２３１、および、広告２２７の、アプリ画像２２０が表示されている。
【００６４】
裏番組２２８は、放送画像２１０として表示されている放送番組以外の現在放送中の放送番組に関する情報を表示する裏番組アプリの画像である。例えば、放送画像２１０として５チャンネル（ｃｈ．５）の放送番組が表示されている場合、ｃｈ．５以外の各チャンネルの放送番組に関する情報（放送局名、番組名、および放送番組を構成する動画から取得された１つの静止画など）が、裏番組２２８に表示される。
【００６５】
なお、この場合、テレビ１００は、２つのチューナ（第１、第２チューナ）を備えている。例えば、第１チューナが、放送画像２１０として表示する放送番組を受信し、第２チューナが、裏番組２２８に表示すべき各チャンネルをスキャンする。これにより、裏番組２２８に、静止画等の各チャンネルの放送番組に関する情報が表示される。
【００６６】
録画一覧２３０は、例えばテレビ１００に接続されたビデオレコーダ（図示せず）に録画された放送番組の一覧を表示する録画一覧アプリの画像である。例えば、放送画像出力装置１１０が、当該ビデオレコーダから、録画された放送番組の一覧を示す一覧情報を取得し、当該一覧情報を録画一覧アプリで処理することで、録画一覧２３０が得られる。
【００６７】
予約一覧２３１は、例えばテレビ１００に接続されたビデオレコーダ（図示せず）に録画予約された放送番組の一覧を表示する予約一覧アプリの画像である。例えば、放送画像出力装置１１０が、当該ビデオレコーダから、録画予約された放送番組の一覧を示す予約情報を取得し、当該予約情報を予約一覧アプリで処理することで、予約一覧２３１が得られる。
【００６８】
［１−４．ホーム画面のダウンロード処理］
次に、本実施の形態における放送画像出力装置１１０のホーム画面２００のダウンロード処理について説明する。まず、放送画像出力装置１１０が実行するダウンロード処理における基本動作、および、ダウンロードサーバ３００の基本的な構成および動作について、図６Ａ〜図９を用いて説明する。
【００６９】
図６Ａは、実施の形態におけるテレビ１００とダウンロードサーバ３００との関係を示す図である。図６Ｂは、実施の形態における放送画像出力装置１１０が実行する、新規ホーム画面の追加に関する基本的な処理の流れを示すフローチャートである。
【００７０】
図７は、ダウンロード機能を含むホーム画面２００の例を示す図である。図８および図９は、ホーム画面２００のダウンロードのための画面の遷移例を示す図である。具体的には、図８は、追加用画面４００の一例を示す図であり、図９は、ダウンロード実行画面４１０の一例を示す図である。
【００７１】
放送画像出力装置１１０は、上述のように、記憶部１１６に格納している複数のホーム画面２００を切り換えて初期画面として表示することが可能である。放送画像出力装置１１０はさらに、放送画像出力装置１１０に格納されていない新たなホーム画面２００（以下、「新規ホーム画面」ともいう。）についても記憶部１１６へ追加して初期画面として利用することも可能である。
【００７２】
この場合、図６Ａに示すように、テレビ１００が、新規ホーム画面を格納しているインターネット上のダウンロードサーバ３００と通信を行うことにより、新規ホーム画面の記憶部１１６への追加を行う。
【００７３】
具体的には、放送画像出力装置１１０は、新規ホーム画面の追加に係る基本的な処理として、図６Ｂに示す処理を実行する。
【００７４】
放送画像出力装置１１０は、ダウンロードサーバ３００と通信を行い、新規ホーム画面のダウンロード処理を実行する（Ｓ５）。
【００７５】
放送画像出力装置１１０は、ダウンロード処理においてダウンロードサーバ３００からダウンロードされた、当該新規ホーム画面の少なくとも一部を構成するホーム関連情報を、記憶部１１６に記憶させる（Ｓ６）。つまり、簡単にいうと、ダウンロードされた新規ホーム画面が記憶部１１６に記憶される。
【００７６】
放送画像出力装置１１０は、ホーム関連情報を用いて構成された当該新規ホーム画面を、初期画面として出力部１１４に出力させる（Ｓ７）。
【００７７】
なお、放送画像出力装置１１０において、ホーム画面２００（例えば、くらしのホーム２００ａ）に、アプリの変更等のカスタマイズがなされている場合、その後にダウンロードされるくらしのホーム２００ａは、新規ホーム画面として扱われる。
【００７８】
本実施の形態において、放送画像出力装置１１０に複数のホーム画面２００を新規ホーム画面として提供することのできるダウンロードサーバ３００は、放送画像出力装置１１０と通信する通信部３１３と、記憶部３１６と、制御部３１５とを備える。
【００７９】
記憶部３１６には、ホーム画面２００の少なくとも一部を構成するホーム関連情報が記憶されている。制御部３１５は、記憶部３１６から読み出したホーム関連情報を、通信部３１３を介して放送画像出力装置１１０に送信する。放送画像出力装置１１０は、ダウンロードサーバ３００から受信したホーム関連情報を用いて構成された新規ホーム画面を、初期画面として出力することができる。
【００８０】
ホーム関連情報としては、新規ホーム画面に配置されるアプリ画像２２０、アプリ画像２２０の表示位置情報、および、アプリ画像２２０に対応するアプリなどの各種の情報が例示される。
【００８１】
ユーザは、新規ホーム画面をダウンロードする場合、具体的には、図７に示すホーム画面２００に配置されたホーム画面ダウンロードアプリを操作する。これにより、図８および図９の画面がテレビ１００に表示され、ユーザの要求に応じた新規ホーム画面のダウンロード処理が、放送画像出力装置１１０において実行される。
【００８２】
より詳細には、ユーザは、図７に示すホーム画面ダウンロードアプリに対応するアプリ画像２２０であるホーム画面ダウンロード２１１を含むホーム画面２００において、リモコン１７０等の操作によってホーム画面ダウンロード２１１を選択し決定キーを押下する。これにより、ホーム画面ダウンロードアプリが起動する。ホーム画面ダウンロードアプリが起動すると、図８に示す追加用画面４００がディスプレイ１５０に表示される。
【００８３】
追加用画面４００の候補領域４０１には、記憶部１１６に新たに追加可能な複数の新規ホーム画面のスナップショットおよび名前が表示されている。ユーザは、リモコン１７０等の操作によって、追加用画面４００の候補領域４０１を横スクロールさせることで、追加可能な複数の新規ホーム画面を順に表示することができる。
【００８４】
図８の例では、追加用画面４００内に表示される「ゲームのホーム」がフォーカスされ、ユーザがリモコン１７０等の操作によって決定操作すると、図９に示すように、「ゲームのホーム」のダウンロード実行画面４１０が表示される。
【００８５】
図９のダウンロード実行画面４１０は、図８の追加用画面４００で決定された新規ホーム画面の画面イメージを表示するスナップショット４１１と、リストタブ４１２と、説明タブ４１３と、インストールボタン４１４などから構成される。
【００８６】
リストタブ４１２には、新規ホーム画面（本例における「ゲームのホーム」、以下同じ）に配置されているアプリの名称等が表示される。説明タブ４１３には、新規ホーム画面の特徴および内容等が表示される。インストールボタン４１４は、新規ホーム画面の放送画像出力装置１１０へのダウンロードを開始するためのボタンである。
【００８７】
ユーザがインストールボタン４１４を押下すると、新規ホーム画面の表示位置情報等を含むスクリーン情報と新規ホーム画面上に配置されたアプリとが、同時またはユーザが要求したタイミングで放送画像出力装置１１０の記憶部１１６へダウンロードされる。ここで、ダウンロードを行わない場合には、キャンセルボタン４１５を押下することで図８の追加用画面４００または図７のホーム画面２００のいずれかに戻ることができる。
【００８８】
なお、図８および図９に示す追加用画面４００およびダウンロード実行画面４１０を構成する各種の情報は、ダウンロードサーバ３００において、例えば記憶部３１６に記憶されている。ダウンロードサーバ３００は、放送画像出力装置１１０からの要求に応じて、追加用画面４００等を構成する各種の情報を放送画像出力装置１１０に送信する。これにより、テレビ１００に追加用画面４００等が表示される。
【００８９】
［１−４−１．ホーム画面ダウンロード処理］
上述のように、図９に示すダウンロード実行画面４１０に対する操作により、放送画像出力装置１１０は、新規ホーム画面のダウンロード処理を実行する。本実施の形態におけるダウンロード処理には、ホーム画面ダウンロード処理とアプリダウンロード処理とが含まれる。
【００９０】
ホーム画面ダウンロード処理は、第１のダウンロード処理の一例であり、ホーム関連情報である、新規ホーム画面のスクリーン情報をダウンロードする処理である。つまり、新規ホーム画面の表示に関する情報のダウンロードのための処理である。
【００９１】
アプリダウンロード処理は、第２のダウンロード処理の一例であり、ホーム関連情報である、新規ホーム画面に対応付けられた（新規ホーム画面に配置されるアプリ画像２２０に対応する）アプリをダウンロードする処理である。つまり、新規ホーム画面の機能に関する情報のダウンロードのための処理である。
【００９２】
ホーム画面ダウンロード処理とアプリダウンロード処理とは、同時またはユーザが要求したそれぞれのタイミングで実行される。
【００９３】
まずは、ホーム画面ダウンロード処理について、図１０に示す通信シーケンスを用いて説明する。
【００９４】
図１０は、実施の形態のホーム画面ダウンロード処理における通信シーケンスの一例を示す図である。
【００９５】
具体的には、図１０では、放送画像出力装置１１０とダウンロードサーバ３００との間で通信を行い、新規ホーム画面のスクリーン情報を記憶部１１６にダウンロードする場合の、通信シーケンスの一例が示されている。新規ホーム画面のスクリーン情報については、図１２を用いて後述する。
【００９６】
放送画像出力装置１１０は、インターネットに接続した場合、インターネット上のダウンロードサーバ３００と通信を行い、放送画像出力装置１１０の記憶部１１６に保有している端末識別子（端末ＩＤ）をダウンロードサーバ３００へ通知する（Ｓ１１）。
【００９７】
ダウンロードサーバ３００は、端末ＩＤが通知されることで、ダウンロードサーバ３００に接続された放送画像出力装置１１０を認識し、以降の通信シーケンスの送信相手として特定することができる。
【００９８】
端末ＩＤの通知処理後、ユーザは、ホーム画面２００のホーム画面ダウンロード２１１（図７参照）を選択し決定キーを押下することで、ホーム画面ダウンロードアプリを起動する。ユーザはさらに、追加用画面４００において、複数のホーム画面２００の中からダウンロードしたいホーム画面２００選択し、その後に表示される、ダウンロード実行画面４１０のインストールボタン４１４を押下する。これにより、ユーザの所望の新規ホーム画面のダウンロードが開始される（Ｓ１２）。
【００９９】
ホーム画面２００には、スクリーン識別子（スクリーンＩＤ）が予め割り当てられている。ユーザがインストールボタン４１４を押下すると、放送画像出力装置１１０からダウンロードサーバ３００へ、ダウンロードの対象である新規ホーム画面のスクリーンＩＤが通知される（Ｓ１３）。
【０１００】
スクリーンＩＤは、ホーム識別子の一例であり、ダウンロードサーバ３００が保存している複数のホーム画面２００のデータ（ホーム関連情報）を一意に指定できる識別子である。
【０１０１】
ダウンロードサーバ３００は、Ｓ１３で受信したスクリーンＩＤを、Ｓ１１で受信した端末ＩＤにバインドして、放送画像出力装置１１０がどのような種類のホーム画面２００をダウンロードするのかを管理する（Ｓ１４）。
【０１０２】
また、ダウンロードサーバ３００は、ホーム画面２００（新規ホーム画面）を放送画像出力装置１１０にダウンロードする際に、新規ホーム画面に対応したインストール識別子（インストールＩＤ）を発行する。そして、発行したインストールＩＤを、Ｓ１１で受信した端末ＩＤにバインドする（Ｓ１５）。
【０１０３】
１つの端末ＩＤに対応する複数のインストールＩＤは、互いにユニークな値になるように発行されるが、ダウンロードサーバ３００からダウンロードされるホーム画面２００毎にユニークなインストールＩＤが発行されてもよい。
【０１０４】
ここで、ダウンロードサーバ３００で管理するＩＤリスト（管理テーブル）を、図１１を用いて説明する。
【０１０５】
図１１は、実施の形態におけるダウンロードサーバ３００が保持する管理テーブル３５０のデータ構成例を示す図である。
【０１０６】
ダウンロードサーバ３００は、ダウンロードサーバ３００内の記憶部（図示せず）に、例えば図１１に示される管理テーブル３５０を保持している。
【０１０７】
管理テーブル３５０には、放送画像出力装置１１０を識別する端末ＩＤ、ホーム画面２００の種類を識別するスクリーンＩＤ、および、実際に放送画像出力装置１１０にダウンロードされるホーム画面２００と対応付けられたインストールＩＤの組み合わせが登録されている。
【０１０８】
また、管理テーブル３５０には、複数の放送画像出力装置１１０のそれぞれについて、スクリーンＩＤとインストールＩＤとの組み合わせが登録されている。
【０１０９】
これにより、ダウンロードサーバ３００は、どの放送画像出力装置１１０にどのような種類のホーム画面２００が、どのインストールＩＤを用いてダウンロードされているかを把握することが可能になる。
【０１１０】
ここで、図１１に示す管理テーブル３５０では、スクリーンＩＤ“Ｓ００３”のホーム画面２００に対して、“Ｉ０００００００２３８４５”と“Ｉ０００００００２３３４４４”の２つのインストールＩＤが割り当てられている。これは端末ＩＤが“Ｄ１２３”である放送画像出力装置１１０にスクリーンＩＤ“Ｓ００３”のホーム画面２００（ホーム画面＿Ｓ００３）が実際に２つインストールされていることを示す。
【０１１１】
例えば、放送画像出力装置１１０にホーム画面＿Ｓ００３がインストールされた後にカスタマイズされ、かつ、その後に、デフォルトの状態のホーム画面＿Ｓ００３が放送画像出力装置１１０にインストールされた場合、上記のようにスクリーンＩＤが重複する。
【０１１２】
ダウンロードサーバ３００は、Ｓ１５の処理後、発行したインストールＩＤを放送画像出力装置１１０に通知する（Ｓ１６）。放送画像出力装置１１０は、通知されたインストールＩＤを使用してダウンロード要求をダウンロードサーバ３００へ通知する（Ｓ１７）。
【０１１３】
ダウンロードサーバ３００は、ダウンロード要求を受け、当該ダウンロード要求に含まれるスクリーンＩＤに対応するホーム画面２００（新規ホーム画面）のスクリーン情報を放送画像出力装置１１０へ送信する（Ｓ１８）。放送画像出力装置１１０にダウンロードされたスクリーン情報は、放送画像出力装置１１０の記憶部１１６に、インストールＩＤと対応付けて保存される（Ｓ１９）。
【０１１４】
放送画像出力装置１１０にダウンロードされる、新規ホーム画面のスクリーン情報は、新規ホーム画面の背景画像、新規ホーム画面に配置される１以上のアプリ画像２２０のそれぞれと対応付けられたアプリの識別子（新規ホーム画面に配置される１以上のアプリのアプリＩＤ）、および、１以上のアプリ画像２２０の表示位置情報のうちの少なくとも１つを含む。
【０１１５】
本実施の形態では、スクリーン情報は、ホーム画面２００のタイトル名、壁紙（背景画像）、ホーム画面２００に配置される１以上のアプリのアプリＩＤのリスト（アプリケーションリスト）、それぞれのアプリ（アプリ画像２２０）のホーム画面２００上での配置を示す表示位置情報を含む。
【０１１６】
図１２は、実施の形態におけるスクリーン情報のデータ構成例と、当該スクリーン情報を用いて構成されるホーム画面２００の例とを示す図である。つまり、図１２では、スクリーン情報と、ホーム画面２００と、インストールＩＤとを関連付けて図示している。
【０１１７】
タイトル名１２０１はホーム画面２００のタイトルを示す情報であり、テキストデータとしてダウンロードされる。背景画像１２０２はホーム画面２００の壁紙として扱われる画像であり、例えばＪＰＥＧの画像データとしてダウンロードされる。インストールＩＤ１２１０は、ダウンロードするホーム画面２００を識別するために用いられる識別情報である。
【０１１８】
ホーム画面２００は複数のアプリを配置できることが特徴であるが、これらのアプリを識別するためのアプリＩＤのリストは、アプリケーションリスト１２２０としてダウンロードされる。
【０１１９】
図１２の例では、放送画像２１０のアプリＩＤは“１０００”、時刻表２３２のアプリＩＤは、“１００１”、メモ２２６のアプリＩＤは“１００３”、カレンダー２２５のアプリＩＤは“２０１２”である。また、時計２２１のアプリＩＤは“１０２４”、天気予報２２２のアプリＩＤは“１０２１”、タイマー２２３のアプリＩＤは“１０４２”、写真２２４のアプリＩＤは“２０２２”である。
【０１２０】
なお、上記の「アプリ画像２２０のアプリＩＤ」という表現は、アプリ画像２２０に対応するアプリの識別子（アプリＩＤ）を意味している。つまり、メモ２２６のアプリＩＤが“１００３”である、とは、メモ２２６に対応するメモアプリのアプリＩＤが、“１００３”であることを意味する。このように、これらのアプリＩＤによって、ホーム画面２００に配置される複数のアプリを一意に特定可能である。
【０１２１】
ホーム画面２００では、各アプリがホーム画面２００のどの位置に配置されるかを指定可能である。図１２ではホーム画面２００が縦に４つ横に４つの４×４のグリッドに分けられ（図４参照）、左上から３×３の領域が放送画像２１０を表示するエリア、右上から１×１の領域が時計２２１を表示するエリアとして用いられている。
【０１２２】
これらの配置を特定する情報は、例えば、図１２に示す表示位置情報１２３０のような、番号の配列で表現することができる。表示位置情報１２３０の配列で用いている番号は、アプリケーションリスト１２２０において、何番目のアプリＩＤかを示す。
【０１２３】
例えば、表示位置情報１２３０で用いている“０”は、アプリケーションリスト１２２０の０番目のアプリＩＤ“１０００”を表し、表示位置情報１２３０で用いている“４”は、アプリケーションリスト１２２０の４番目のアプリＩＤ“１０２４”を表す。
【０１２４】
また、表示位置情報１２３０では、要素数が４の配列が縦に４つ並んでいるが、１番目の配列は、ホーム画面２００を４×４のグリッドに分けた場合の、ホーム画面２００の左上から右方向へ４つ分のエリアへの、アプリ（アプリ画像２２０）の割り当てを示している。
【０１２５】
２つめの配列は、上から二列目の左から右方向へ４つ分のエリアへの、アプリ（アプリ画像２２０）の割り当てを示している。
【０１２６】
具体的には、“０”のアプリ、つまり、放送画像２１０は左上から３×３のエリアに表示されることを示し、“４”のアプリ、つまり、時計２２１は、は右上の１×１のエリアに表示されることを示す。
【０１２７】
以上の処理により、放送画像出力装置１１０は、ホーム画面ダウンロード処理を完了し、次にアプリダウンロード処理に移行する。なお、アプリダウンロード処理は、ホーム画面ダウンロード処理に続いて自動で実行してもよいし、ユーザが要求したタイミング（例えば、実際にアプリの起動要求がなされたタイミング）で実行してもよい。
【０１２８】
［１−４−２．アプリダウンロード処理］
図１３は、実施の形態におけるアプリダウンロード処理の基本的な処理の流れを示すフローチャートである。
【０１２９】
アプリダウンロード処理は、放送画像出力装置１１０の制御部１１５によって、以下のように実行される。
【０１３０】
すなわち、制御部１１５は、新規ホーム画面のスクリーン情報を記憶部１１６へ保存した後、保存したアプリケーションリスト１２２０に示される１つのアプリについて、既に放送画像出力装置１１０にインストール済みかどうかを確認する（Ｓ２０）。例えば、アプリケーションリスト１２２０で最初に記載されたアプリについてこの確認が行われる。
【０１３１】
当該アプリがインストール済みでない場合（Ｓ２０でＮｏ）、制御部１１５は、当該アプリを、通信部１１３を介してダウンロードサーバ３００からダウンロードする（Ｓ２１）。これにより、当該アプリが記憶部１１６に記憶される。つまり、当該アプリが放送画像出力装置１１０にインストールされる。
【０１３２】
また、制御部１１５は、当該アプリがインストール済みであり（Ｓ２０でＹｅｓ）、かつ、次のアプリ（例えばアプリケーションリスト１２２０で２番目に記載されたアプリ）がある場合（Ｓ２２でＮｏ）、当該次のアプリについての確認（Ｓ２０）に移行する。
【０１３３】
アプリケーションリスト１２２０に記載されたアプリの全てについてインストール済みの状態になった場合（Ｓ２２でＹｅｓ）、制御部１１５は、アプリダウンロード処理を終了する。
【０１３４】
このように、制御部１１５は、アプリダウンロード処理において、新規ホーム画面に配置される１以上のアプリ画像２２０それぞれと対応付けられたアプリのうち、記憶部１１６に記憶されていないアプリのみをダウンロードする。
【０１３５】
例えば、７つのアプリが配置される新規ホーム画面であって、これら７つのアプリのうちの５つがインストール済み（記憶部１１６に記憶済み）である場合、残りの２つのアプリのみが放送画像出力装置１１０にダウンロードされる。
【０１３６】
つまり、新規ホーム画面のダウンロード処理において、新規ホーム画面から起動可能なアプリであって、記憶部１１６に記憶されていないアプリのみがダウンロードサーバ３００からダウンロードされる。これにより、新規ホーム画面のダウンロード処理を効率よく実行することができる。
【０１３７】
ここで、アプリがインストール済か否かを確認する方法としては、例えば、記憶部１１６に当該アプリのアプリＩＤの存在を示すディレクトリが存在するか否かで確認することが例示される。また、アプリをダウンロードサーバ３００からダウンロードする方法は、様々な従来技術によって実現できるため、詳細な説明は省略する。
【０１３８】
ところで、新規ホーム画面を構成するアプリ（新規ホーム画面に配置されるアプリ）が、放送画像出力装置１１０にインストールされていない場合、当該アプリの起動要求がなされたことをトリガとして当該アプリのダウンロードが実行されてもよい。つまり、ホーム画面ダウンロード処理と共にはアプリダウンロード処理を行わず、新規ホーム画面に配置されたアプリのそれぞれが実際に使用される時にアプリダウンロード処理を行う方法もある。
【０１３９】
具体的な処理の流れを図１４に示す。図１４は、実施の形態におけるアプリダウンロード処理の流れの別の一例を示すフローチャートである。
【０１４０】
放送画像出力装置１１０にダウンロードされた新規ホーム画面において、ユーザのリモコン１７０等の操作によるアプリの起動要求を受け付けた場合（Ｓ２３）、制御部１１５は、当該アプリが放送画像出力装置１１０の記憶部１１６にインストール済みか否かを確認する（Ｓ２４）。当該アプリがすでにインストール済の場合（Ｓ２４でＹｅｓ）、記憶部１１６に保存されているアプリを起動する（Ｓ２５）。
【０１４１】
一方、当該アプリがインストール済みではない場合（Ｓ２４でＮｏ）、当該アプリのダウンロードを実行する（Ｓ２６）。これにより当該アプリが、ダウンロードサーバ３００から放送画像出力装置１１０にダウンロードされる。そして、制御部１１５は、ダウンロードされた当該アプリを起動する（Ｓ２５）。
【０１４２】
このように、新規ホーム画面のダウンロード時（スクリーン情報のダウンロード時）にアプリダウンロード処理を行わずに、アプリが実際に起動される際に、当該アプリのダウンロードを行うことで、新規ホーム画面の、ダウンロード処理の開始から表示までに要する時間を短縮することができる。
【０１４３】
また、新規ホーム画面に配置されているアプリをすべてダウンロードした場合であって、その中の１以上のアプリが実際にはユーザに使われない場合、記憶部１１６の記憶領域が無駄に使われることになる。そこで、上述のように、制御部１１５が、アプリが必要なとき（アプリが起動される場合）に当該アプリをダウンロードすることで、例えば記憶部１１６の使用効率の向上が図られるというメリットがある。
【０１４４】
なお、例えばバージョンが異なる同一のアプリに対して互いに異なるアプリＩＤが付与されている場合、図１３または図１４に示すフローにより、放送画像出力装置１１０において、記憶部１１６に記憶済みのアプリそれぞれのバージョンアップが行われる。例えばアプリＩＤの一部にバージョン番号を含むことで、同一のアプリのバージョンの違いを各々のアプリＩＤで表すことが可能である。
【０１４５】
［１−５．ダウンロード処理の自動実行］
ところで、新規ホーム画面のダウンロード処理中に放送画像出力装置１１０の電源がオフにされた場合（停電等の、ユーザが意図しない場合も含む）、ダウンロード処理は中断する。しかし、放送画像出力装置１１０は、その後に電源をオンにされたときに中断したダウンロード処理を自動的に再開することができる。
【０１４６】
また、ダウンロードサーバ３００は、放送画像出力装置１１０（テレビ１００）の電源がオンされた後に、例えばお勧めのアプリを、放送画像出力装置１１０に自動的にダウンロードさせることも可能である。そこで、放送画像出力装置１１０の電源オン後に、自動的に実行されるダウンロード処理について図１５〜図１７を用いて説明する。
【０１４７】
図１５は、実施の形態における放送画像出力装置１１０の自動的なダウンロード処理における通信シーケンスの一例を示す図である。
【０１４８】
図１６は、実施の形態における管理テーブル３５０のデータ構成の別の一例を示す図である。
【０１４９】
図１７は、実施の形態におけるダウンロードサーバ３００が行うインストールＩＤの比較処理を説明するための図である。
【０１５０】
なお、図１５に示す通信シーケンスにおける放送画像出力装置１１０の処理は、例えばバックグラウンドで実行される処理であり、ユーザのリモコン操作等を必要としない処理である。
【０１５１】
図１５に示すように、放送画像出力装置１１０は、電源オン後に端末ＩＤをダウンロードサーバ３００に通知する（Ｓ３０）。ダウンロードサーバ３００は、管理テーブル３５０から、Ｓ３０で受信した端末ＩＤにバインドされているスクリーンＩＤとインストールＩＤとを読み出す（Ｓ３１）。
【０１５２】
放送画像出力装置１１０は、端末ＩＤの通知後、更に、放送画像出力装置１１０自身にダウンロード済みであるホーム画面２００のインストールＩＤをダウンロードサーバ３００に通知する（Ｓ３２）。
【０１５３】
ダウンロードサーバ３００は、まず、Ｓ３１で読み出した１以上のスクリーンＩＤの中に、インストールＩＤと対応付けられていないスクリーンＩＤ（インストールＩＤが未発行のスクリーンＩＤ）があるか否かを確認する（Ｓ４０）。
【０１５４】
インストールＩＤが未発行のスクリーンＩＤがあれば、そのスクリーンＩＤで特定されるホーム画面２００のダウンロード処理が行われていないことを意味する。
【０１５５】
ここで、当該スクリーンＩＤは、放送画像出力装置１１０からの要求（図１０のＳ１３）ではなく、例えば放送画像出力装置１１０にダウンロードさせるべき新規ホーム画面を示すＩＤとして、ダウンロードサーバ３００が、管理テーブル３５０に登録したものである。
【０１５６】
このような新規ホーム画面としては、新たにリリースされた１以上のアプリが配置されたホーム画面２００、および、管理テーブル３５０（ダウンロード履歴）から推定される、放送画像出力装置１１０のユーザに適したホーム画面２００などが例示される。
【０１５７】
例えば、図１６に示す管理テーブル３５０では、端末ＩＤ“Ｄ１２３”に対応付けられたスクリーンＩＤ“Ｓ８７２”には、インストールＩＤが対応付けられていない。つまり、“Ｓ８７２”は、インストールＩＤが未発行のスクリーンＩＤである。
【０１５８】
この場合、ダウンロードサーバ３００は、端末ＩＤ“Ｄ１２３”の放送画像出力装置１１０に対して、スクリーンＩＤ“Ｓ８７２”を含む、ダウンロード処理の実行要求を行う（Ｓ５０）。当該実行要求を受けた放送画像出力装置１１０は、スクリーンＩＤ“Ｓ８７２”を含む、新規ホーム画面のダウンロード要求を（Ｓ５１）。つまり、放送画像出力装置１１０の処理は、図１０に示すＳ１３の処理に移行する。
【０１５９】
これにより、放送画像出力装置１１０では、スクリーンＩＤ“Ｓ８７２”に対応するスクリーン情報のダウンロードおよび保存がなされ、必要に応じて、１以上アプリのダウンロード（図１３または図１４参照）がなされる。その結果、放送画像出力装置１１０の制御部１１５は、スクリーンＩＤ“Ｓ８７２”の新規ホーム画面を、初期画面として出力部１１４に出力させることができる。
【０１６０】
また、ダウンロードサーバ３００は、Ｓ３２で放送画像出力装置１１０から通知されたインストールＩＤと、Ｓ３１で読み出したインストールＩＤとの比較を行う（Ｓ３５）。これらの比較の結果、一致しないインストールＩＤがある場合、当該インストールＩＤで特定されるホーム画面２００のダウンロード処理が中断した可能性がある。
【０１６１】
例えば、ダウンロードサーバ３００のＳ３１の処理において、管理テーブル３５０から、図１７に示すように、端末ＩＤ“Ｄ１２３”の放送画像出力装置１１０に対応付けられた４つのインストールＩＤが読み出された場合を想定する。
【０１６２】
この場合、これら４つのインストールＩＤそれぞれに対応する４つの新規ホーム画面については、ダウンロードサーバ３００において、少なくとも、インストールＩＤの発行および管理テーブル３５０への格納（図１０のＳ１５）までは完了していることが分かる。
【０１６３】
この想定の下で、さらに、Ｓ３２の処理において、端末ＩＤ“Ｄ１２３”の放送画像出力装置１１０から、図１７に示す３つのインストールＩＤが、ダウンロードサーバ３００に通知された場合を想定する。この場合、これら３つのインストールＩＤそれぞれに対応する３つの新規ホーム画面のスクリーン情報は、放送画像出力装置１１０の記憶部１１６に記憶済みであることが分かる。つまり、当該３つの新規ホーム画面については、少なくとも図１０に示されるホーム画面ダウンロード処理が完了していることが分かる。
【０１６４】
すなわち、上記４つのインストールＩＤと、上記３つのインストールＩＤとの比較の結果、一致しないインストールＩＤ“Ｉｎ０００００００４２３９４”については、放送画像出力装置１１０の記憶部１１６に記憶されていないこととが分かる。つまり、当該インストールＩＤに対応するスクリーンＩＤ“Ｓ０９３”のホーム画面２００についてのダウンロード処理は、開始後に中断されたと判断される。
【０１６５】
そのため、ダウンロードサーバ３００は、端末ＩＤ“Ｄ１２３”の放送画像出力装置１１０に対して、インストールＩＤ“Ｉｎ０００００００４２３９４”に対応するスクリーンＩＤ“Ｓ０９３”を特定する。ダウンロードサーバ３００はさらに、特定したスクリーンＩＤ“Ｓ０９３”を含むダウンロード処理の実行要求（再ダウンロード実行要求）を行う（Ｓ７０）。
【０１６６】
再ダウンロード要求を受けた放送画像出力装置１１０は、スクリーンＩＤ“Ｓ０９３”を用いて、新規ホーム画面のダウンロード要求を行う（Ｓ７１）。つまり、放送画像出力装置１１０の処理は、図１０に示すＳ１３の処理に移行し、スクリーンＩＤ“Ｓ０９３”を用いて、中断したダウンロード処理を再開する。具体的には、中断したダウンロード処理がやり直される。
【０１６７】
これにより、放送画像出力装置１１０に、スクリーンＩＤ“Ｓ０９３”に対応するスクリーン情報のダウンロードおよび保存がなされ、必要に応じて、１以上アプリのダウンロード（図１３または図１４参照）がなされる。その結果、放送画像出力装置１１０の制御部１１５は、スクリーンＩＤ“Ｓ０９３”の新規ホーム画面を、初期画面として出力部１１４に出力させることができる。
【０１６８】
［１−６．効果等］
以上のように、本実施の形態において、放送画像出力装置１１０は、放送を受信する受信部１１２と、ダウンロードサーバ３００と通信する通信部１１３と、複数のホーム画面のそれぞれを出力する出力部１１４と、複数のホーム画面２００を記憶する記憶部１１６と、複数のホーム画面２００のいずれかを選択し、選択したホーム画面２００を、放送画像出力装置１１０の電源オン後の初期画面として出力部１１４に出力させる制御部１１５とを備える。
【０１６９】
制御部１１５は、通信部を介して新規ホーム画面のダウンロード処理を実行する。また、制御部１１５は、ダウンロード処理によりダウンロードサーバ３００からダウンロードされた、新規ホーム画面の少なくとも一部を構成するホーム関連情報を記憶部１１６に記憶させる。制御部１１５はさらに、ホーム関連情報を用いて構成された新規ホーム画面を初期画面として出力部１１４に出力させる。
【０１７０】
なお、ホーム画面２００は、表示領域の部分毎に、放送に関する放送画像である第一画像（放送画像２１０）及び放送画像以外の画像である第二画像（アプリ画像２２０）のいずれか一方を配置可能な画面である。本実施の形態では、使用者の操作を受け付けることのできる初期画面として、複数のホーム画面２００のいずれかが出力部１１４から出力され、テレビ１００のディスプレイ１５０に表示される。
【０１７１】
本実施の形態における放送画像出力装置１１０は、上記構成により、ダウンロードサーバ３００に保存された多種多様なホーム画面２００を、ユーザ要求に応じて、または放送画像出力装置１１０の状態に応じて、効率よくダウンロードできる。具体的には、放送画像出力装置１１０は、ダウンロードすべきホーム画面２００を、ホーム関連情報の単位で取得することができる。つまり、放送画像出力装置１１０は、初期画面として使用可能なホーム画面２００の数を、効率よく増加させることができる。
【０１７２】
また、本実施の形態において、放送画像出力装置１１０の制御部１１５は、ダウンロード処理として、ホーム関連情報である、新規ホーム画面のスクリーン情報をダウンロードする第１のダウンロード処理（ホーム画面ダウンロード処理）を実行する。このスクリーン情報には、新規ホーム画面の背景画像、新規ホーム画面に配置される１以上のアプリ画像２２０それぞれと対応付けられたアプリのアプリＩＤ、および、当該１以上のアプリ画像２２０の表示位置情報のうちの少なくとも１つが含まれている。
【０１７３】
この構成によれば、放送画像出力装置１１０は、ダウンロード処理によって、主として新規ホーム画面の表示に関する情報であるスクリーン情報を得ることができる。例えば、スクリーン情報に、新規ホーム画面に対応する複数のアプリＩＤが含まれていることで、これらアプリＩＤに対応するアプリが並べられた新規ホーム画面を生成し出力することができる。つまり、新規ホーム画面のダウンロードおよびその表示に関する処理を効率よく実行することができる。
【０１７４】
また、本実施の形態において、放送画像出力装置１１０の制御部１１５は、新規ホーム画面が、１以上のアプリ画像２２０が配置されるホーム画面２００である場合、ダウンロード処理としてさらに第２のダウンロード処理（アプリダウンロード処理）を実行する。
【０１７５】
このアプリダウンロード処理では、ホーム関連情報である、当該１以上のアプリ画像２２０のそれぞれと対応付けられたアプリがダウンロードされる。
【０１７６】
この構成によれば、新規ホーム画面に１以上のアプリが配置される場合に、当該１以上のアプリが、放送画像出力装置１１０にダウンロードされるため、新規ホーム画面のダウンロード処理が効率よく実行される。
【０１７７】
また、本実施の形態において、放送画像出力装置１１０の制御部１１５は、アプリダウンロード処理において、当該１以上のアプリ画像２２０のそれぞれと対応付けられたアプリのうち、記憶部１１６に記憶されていないアプリをダウンロードする。
【０１７８】
この構成によれば、放送画像出力装置１１０が保持していないアプリのみをダウンロードすることができるため、新規ホーム画面のダウンロード処理がより効率化される。
【０１７９】
また、本実施の形態において、放送画像出力装置１１０の制御部１１５は、ホーム画面ダウンロード処理の実行後に新規ホーム画面を初期画面として出力部１１４に出力させ、かつ、新規ホーム画面に対応付けられたアプリの起動要求がなされた場合に、アプリダウンロード処理を実行する。
【０１８０】
この構成によれば、アプリが実際に起動される際に、当該アプリのダウンロードのための処理が行われるため、新規ホーム画面の、ダウンロード処理の開始から表示までに要する時間（見かけ上のダウンロード時間）を短縮することができる。また、実際に起動されるアプリのみが記憶部１１６に記憶されることになるため、記憶部１１６の使用効率の向上も図られる。
【０１８１】
また、本実施の形態において、放送画像出力装置１１０の制御部１１５は、ダウンロード処理においてさらに、新規ホーム画面と対応付けられたインストールＩＤをダウンロードし、スクリーン情報に対応付けてインストールＩＤを記憶部１１６に記憶させる。制御部１１５は、通信部１１３を介して、記憶部１１６に記憶されているインストールＩＤをダウンロードサーバ３００に送信する。
【０１８２】
この構成によれば、スクリーン情報が記憶部１１６に記憶された場合に、インストールＩＤも記憶される。つまり、放送画像出力装置１１０は、記憶部１１６に記憶されているインストールＩＤをダウンロードサーバ３００に通知することにより、当該スクリーン情報のダウンロードの完了をダウンロードサーバ３００に知らせることができる。
【０１８３】
従って、放送画像出力装置１１０にダウンロードされたホーム画面２００の種類および数などをダウンロードサーバ３００に適切に把握させることができる。そのため、例えば、中断されたダウンロード処理が発生した場合に、放送画像出力装置１１０は、ダウンロードサーバ３００からの要求に応じて、当該ダウンロード処理をやり直すこと等が可能となる。
【０１８４】
また、本実施の形態におけるダウンロードサーバ３００は、放送画像出力装置１１０と通信する通信部３１３と、ホーム画面２００の少なくとも一部を構成するホーム関連情報（スクリーン情報およびアプリなど）を記憶する記憶部３１６と、記憶部３１６から読み出したホーム関連情報を、通信部３１３を介して放送画像出力装置１１０に送信する制御部３１５とを備える。
【０１８５】
この構成によれば、ダウンロードサーバ３００は、初期画面として使用可能なホーム画面２００を、ホーム関連情報の単位で放送画像出力装置１１０に取得させることができる。つまり、放送画像出力装置１１０に、初期画面（ホーム画面２００）を、効率よくダウンロードさせることができる。
【０１８６】
また、本実施の形態において、ダウンロードサーバ３００の制御部３１５は、ホーム関連情報（スクリーン情報）を送信する場合、通信部３１３を介して、ホーム画面２００と対応付けられたインストールＩＤを放送画像出力装置１１０に送信する。制御部３１５はさらに、通信部３１３が当該インストールＩＤを送信した後に、放送画像出力装置１１０の識別子である端末ＩＤを受信し、かつ、当該インストールＩＤを受信しなかった場合、当該ホーム画面２００の識別子であるスクリーンＩＤを、通信部３１３を介して放送画像出力装置１１０に送信する。
【０１８７】
この構成によれば、ダウンロードサーバ３００は、放送画像出力装置１１０に送信済みみのインストールＩＤを、放送画像出力装置１１０から受信しないことで、当該インストールＩＤに対応するホーム画面２００のダウンロード処理が未完了であると判断できる。そのため、ダウンロードサーバ３００は、当該ダウンロード処理のやり直しの要求（再ダウンロード実行要求）を、放送画像出力装置１１０に対して行うことができる。
【０１８８】
この場合、放送画像出力装置１１０は、例えばダウンロード処理の完了または未完了の管理は不要であり、ダウンロードサーバ３００からの要求に応じて処理を進めることで、初期画面（ホーム画面２００）の追加のための処理を完了させることができる。
【０１８９】
また、本実施の形態において、ダウンロードサーバ３００の制御部３１５は、記憶部３１６に、放送画像出力装置１１０を管理する管理テーブル３５０を記憶させる。管理テーブル３５０には、放送画像出力装置１１０の端末ＩＤと、放送画像出力装置１１０に送信した又は送信すべきホーム関連情報に対応するホーム画面２００のスクリーンＩＤと、ホーム関連情報が送信される場合に制御部３１５が発行するインストールＩＤとが対応付けて登録される。制御部３１５はさらに、管理テーブル３５０において、インストールＩＤが対応付けられていないスクリーンＩＤが存在する場合、当該スクリーンＩＤを、通信部３１３を介して、放送画像出力装置１１０に送信する。
【０１９０】
この構成によれば、ダウンロードサーバ３００は、新たに記憶部３１６に追加されたホーム画面２００など、放送画像出力装置１１０にダウンロードさせたいホーム画面２００のスクリーンＩＤを、放送画像出力装置１１０に通知することができる。これにより、放送画像出力装置１１０に、当該ホーム画面２００をダウンロードさせることができる。
【０１９１】
つまり、ダウンロードサーバ３００は、例えば、ダウンロードサーバ３００の管理者側の要求、または、放送画像出力装置１１０のダウンロード履歴等に応じたホーム画面２００を、放送画像出力装置１１０にダウンロードさせることができる。
【０１９２】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１９３】
そこで、以下、他の実施の形態を例示する。
【０１９４】
上記実施の形態では、放送画像出力装置１１０が実行するダウンロード処理は、スクリーン情報をダウンロードするホーム画面ダウンロード処理、および、アプリをダウンロードするアプリダウンロード処理を含むとした。しかしながら、当該ダウンロード処理は、ホーム画面ダウンロード処理とアプリダウンロード処理とに明確に区分けされる必要はない。
【０１９５】
例えば、放送画像出力装置１１０の制御部１１５は、ダウンロード処理において、ホーム関連情報である、新規ホーム画面に配置される１以上のアプリ画像２２０の表示位置情報、および、当該１以上のアプリ画像２２０それぞれと対応付けられたアプリをダウンロードサーバ３００からダウンロードしてもよい。
【０１９６】
放送画像出力装置１１０は、このように、新規ホーム画面における１以上のアプリ画像２２０の配置位置と、当該１以上のアプリ画像２２０に対応する１以上のアプリとを、一連の処理でダウンロードしてもよい。こうすることでも、新規ホーム画面を記憶部１１６に追加することが可能である。
【０１９７】
上記実施の形態におけるスクリーン情報は、図１２に示されるように、各種の情報を含んでいるが、スクリーン情報が含む情報は、一種類の情報のみでもよい。例えば、スクリーン情報は、背景画像１２０２のみを含んでいてもよい。この場合、放送画像出力装置１１０は、例えば、背景画像１２０２のみを表示領域の全面に表示するホーム画面２００を、初期画面として出力することができる。
【０１９８】
また、例えば、スクリーン情報は、アプリケーションリスト１２２０のみを含んでいてもよい。この場合、放送画像出力装置１１０は、例えば、アプリケーションリスト１２２０によって特定される複数のアプリを所定のルールに従って並べたホーム画面２００を、初期画面として出力することができる。
【０１９９】
上記実施の形態では、放送画像出力装置１１０における、アプリの記憶部１１６への追加（図１３、図１４参照）につて説明したが、放送画像出力装置１１０の制御部１１５は、例えば、使用される可能性のないアプリの記憶部１１６からの削除を行ってもよい。
【０２００】
制御部１１５は、例えば、記憶部１１６に記憶されている全てのアプリケーションリスト１２２０に示されるアプリＩＤと、記憶部１１６に記憶されている全てのアプリのアプリＩＤとを比較する。これにより、記憶部１１６に記憶され、かつ、全てのアプリケーションリスト１２２０に存在しないアプリが特定される。つまり、いずれのホーム画面２００にも配置されない１以上のアプリが特定される。そこで、制御部１１５は特定された１以上のアプリを削除する。これにより、例えば、記憶部１１６の使用効率の向上が図られる。
【０２０１】
上記実施の形態では、ホーム画面２００の例として示したくらしのホーム２００ａおよびテレビのホーム２００ｂ（図５参照）には、いずれも放送画像２１０が含まれている。しかしながら、ホーム画面２００として、放送画像２１０を含まず、１以上のアプリ画像２２０を含むホーム画面２００が出力部１１４から出力されてもよい。
【０２０２】
また、ホーム画面２００の表示領域の全てが、放送画像２１０またはアプリ画像２２０で埋められていなくてもよい。例えば、くらしのホーム２００ａ（図５の（ａ）参照）において、７つ配置されているアプリ画像２２０のうちの少なくとも１つがなくてもよい。この場合、アプリ画像２２０が配置されていないことにより生じる空領域には、例えば、くらしのホーム２００ａに設定された背景画像１２０２が表示されてもよい。
【０２０３】
上記実施の形態におけるホーム画面２００は、例えば、縦または横にスクロールさせてもよい。これにより、１つのホーム画面２００に配置される放送画像２１０およびアプリ画像２２０の総数を増加させることができる。
【０２０４】
上記実施の形態の放送画像出力装置１１０は、電源がオンにされた後であって、初期画面としてホーム画面２００を出力する前に、例えばテレビ１００の生産者を示すロゴ等の、ホーム画面２００以外の画像を出力してもよい。
【０２０５】
以上のように、本開示における技術の例示として、実施の形態を説明した。そのために、添付図面および詳細な説明を提供した。
【０２０６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２０７】
また、上述の実施の形態は、本開示における技術を例示するためのものであるから、請求の範囲またはその均等の範囲において種々の変更、置き換え、付加、省略などを行うことができる。
【産業上の利用可能性】
【０２０８】
本開示は、ユーザに適した初期画面の提示に係る処理を効率よく実行し、さらにカスタマイズすることができる放送画像出力装置に適用可能である。具体的には、テレビ、ＰＣ、サーバ、携帯端末、ビデオカメラ、およびビデオレコーダ等の電子機器に、本開示は適用可能である。また、同様の機能を実行可能なプログラムを格納したＣＤまたはＤＶＤ等の記録メディアにも本開示は適用可能である。
【符号の説明】
【０２０９】
１００  テレビ
１１０  放送画像出力装置
１１２  受信部
１１３  通信部
１１４  出力部
１１５  制御部
１１６  記憶部
１５０  ディスプレイ
１７０  リモコン
２００  ホーム画面
２０１  矩形領域
２１０  放送画像
２２０  アプリ画像
３００  ダウンロードサーバ
３１３  通信部
３１５  制御部
３１６  記憶部
３５０  管理テーブル
４００  追加用画面
４０１  候補領域
４１０  ダウンロード実行画面
【図１】
2015029313.tif 000003
【図２】
2015029313.tif 000004
【図３】
2015029313.tif 000005
【図４】
2015029313.tif 000006
【図５】
2015029313.tif 000007
【図６Ａ】
2015029313.tif 000008
【図６Ｂ】
2015029313.tif 000009
【図７】
2015029313.tif 000010
【図８】
2015029313.tif 000011
【図９】
2015029313.tif 000012
【図１０】
2015029313.tif 000013
【図１１】
2015029313.tif 000014
【図１２】
2015029313.tif 000015
【図１３】
2015029313.tif 000016
【図１４】
2015029313.tif 000017
【図１５】
2015029313.tif 000018
【図１６】
2015029313.tif 000019
【図１７】
2015029313.tif 000020
【手続補正書】
【提出日】平成27年3月5日(2015.3.5)
【手続補正１】
【補正対象書類名】明細書
【補正対象項目名】全文
【補正方法】変更
【補正の内容】
【発明の詳細な説明】
【技術分野】
【０００１】
本開示は、放送画像の出力が可能な放送画像出力装置、放送画像出力装置と通信するダウンロードサーバ、およびこれらの制御方法に関する。
【背景技術】
【０００２】
特許文献１は、移動通信端末の表示部に着信待ち受け画面等の用途で表示される画像を、ユーザが簡易にカスタマイズできる技術を開示する。移動通信端末は、ＩＰ（Ｉｎｆｏｒｍａｔｉｏｎ  Ｐｒｏｖｉｄｅｒ）サーバが提供するサイト画面データをダウンロードし、着信待ち受け画面として利用する。
【先行技術文献】
【特許文献】
【０００３】
【特許文献１】特許第３８２５６３９号公報
【発明の概要】
【発明が解決しようとする課題】
【０００４】
本開示は、背景画像、表示位置情報、アプリケーションプログラム等の複数の情報から構成される、初期画面として設定可能な新規ホーム画面を、ユーザの要求等に応じて効率よくダウンロードすることが可能な放送画像出力装置等を提供する。
【課題を解決するための手段】
【０００５】
本開示における放送画像出力装置は、ダウンロードサーバと通信可能な放送画像出力装置であって、放送を受信する受信部と、ダウンロードサーバと通信する通信部と、複数のホーム画面であって、それぞれが、表示領域の部分毎に、放送に関する放送画像である第一画像及び放送画像以外の画像である第二画像のいずれか一方を配置可能な複数のホーム画面のそれぞれを出力する出力部と、複数のホーム画面を記憶する記憶部と、複数のホーム画面のいずれかを選択し、選択したホーム画面を、放送画像出力装置の電源オン後の初期画面として出力部に出力させる制御部と、を備え、制御部は、（ａ）通信部を介して、記憶部に記憶されていないホーム画面である新規ホーム画面のダウンロード処理を実行し、（ｂ）ダウンロード処理によりダウンロードサーバからダウンロードされた、新規ホーム画面の少なくとも一部を構成するホーム関連情報を記憶部に記憶させ、かつ、（ｃ）ホーム関連情報を用いて構成された新規ホーム画面を初期画面として出力部に出力させる。
【０００６】
また、本開示におけるダウンロードサーバは、放送画像出力装置と通信可能なダウンロードサーバであって、放送画像出力装置と通信する通信部と、表示領域の部分毎に、放送に関する放送画像である第一画像及び放送画像以外の画像である第二画像のいずれか一方を配置可能なホーム画面の、少なくとも一部を構成するホーム関連情報を記憶する記憶部と、記憶部から読み出したホーム関連情報を、通信部を介して放送画像出力装置に送信する制御部とを備える。
【発明の効果】
【０００７】
本開示における放送画像出力装置等によれば、新規ホーム画面を、ユーザの要求に応じて、または放送画像出力装置の状態に応じて効率的にダウンロードし、簡単に初期画面として設定することができる。
【図面の簡単な説明】
【０００８】
【図１】図１は、実施の形態におけるテレビおよびリモコンの外観を示す図である。
【図２】図２は、実施の形態におけるテレビの基本的な機能構成を示すブロック図である。
【図３】図３は、実施の形態における放送画像出力装置の基本的な起動時の動作を示すフローチャートである。
【図４】図４は、実施の形態におけるホーム画面の基本構成の一例を示す図である。
【図５】図５は、実施の形態におけるホーム画面の２種類の例を示す図である。
【図６Ａ】図６Ａは、実施の形態におけるテレビとダウンロードサーバとの関係を示す図である。
【図６Ｂ】図６Ｂは、実施の形態における放送画像出力装置が実行する、新規ホーム画面の追加に関する基本的な処理の流れを示すフローチャートである。
【図７】図７は、実施の形態における、ダウンロード機能を含むホーム画面の例を示す図である。
【図８】図８は、実施の形態における追加用画面の一例を示す図である。
【図９】図９は、実施の形態におけるダウンロード実行画面の一例を示す図である。
【図１０】図１０は、実施の形態のホーム画面ダウンロード処理における通信シーケンスの一例を示す図である。
【図１１】図１１は、実施の形態におけるダウンロードサーバが保持する管理テーブルのデータ構成例を示す図である。
【図１２】図１２は、実施の形態におけるスクリーン情報データ構成例と、当該スクリーン情報を用いて構成されるホーム画面の例とを示す図である。
【図１３】図１３は、実施の形態におけるアプリダウンロード処理の基本的な処理の流れを示すフローチャートである。
【図１４】図１４は、実施の形態におけるアプリダウンロード処理の流れの別の一例を示すフローチャートである。
【図１５】図１５は、実施の形態における放送画像出力装置の自動的なダウンロード処理における通信シーケンスの一例を示す図である。
【図１６】図１６は、実施の形態における管理テーブルのデータ構成の別の一例を示す図である。
【図１７】図１７は、実施の形態におけるダウンロードサーバが行うインストールＩＤの比較処理を説明するための図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって請求の範囲に記載の主題を限定することを意図するものではない。また、各図は、模式図であり、必ずしも厳密に図示したものではない。
【００１１】
（実施の形態）
以下、図１〜図１７を用いて、実施の形態における放送画像出力装置およびダウンロードサーバについて説明する。
【００１２】
［１−１．放送画像出力装置の構成］
図１は、実施の形態におけるテレビ１００およびリモコン１７０の外観を示す図である。図２は、実施の形態におけるテレビ１００の基本的な機能構成を示すブロック図である。図１および図２に示すように、テレビ１００は、放送画像出力装置１１０とディスプレイ１５０とを備える。
【００１３】
テレビ１００は、ユーザが操作するリモコン（ｒｅｍｏｔｅ  ｃｏｎｔｒｏｌ／ｒｅｍｏｔｅ  ｃｏｎｔｒｏｌｌｅｒ）１７０からの信号に従ってチャンネルの切り替え等の動作を実行することができる。
【００１４】
具体的には、リモコン１７０は複数のキーを有し、ユーザによって押下されたキーに応じた指示を示す信号を、例えば赤外線でテレビ１００に送信する。なお、リモコン１７０とテレビ１００との間の通信方式には特に限定はなく、例えば、Ｂｌｕｅｔｏｏｔｈ（登録商標）等の無線通信によってリモコン１７０とテレビ１００との間で双方向通信が行われてもよい。
【００１５】
また、リモコン１７０は複数のキーを有するもの以外に、タッチパッド等のポインティングデバイスを有するリモコンであってもよい。あるいは、テレビ１００を操作可能なアプリケーションプログラムが搭載されたスマートフォンが、リモコン１７０として用いられてもよい。
【００１６】
テレビ１００は、図２に示す機能ブロック以外に、スピーカ等の、テレビ受像機として備えるべき他の構成要素も備えているが、本開示の内容を明確に説明するために、これら他の構成要素についての図示および説明は省略する。
【００１７】
放送画像出力装置１１０は、図２に示すように、受信部１１２と、通信部１１３と、出力部１１４と、制御部１１５と、記憶部１１６とを備える。
【００１８】
受信部１１２は、テレビ１００のチューナ（図２に図示せず）が受信する、地上波放送、衛星放送、ケーブル放送、または、インターネット放送等の放送を受信する。なお、受信部１１２がチューナとして機能してもよい。
【００１９】
通信部１１３は、後述するダウンロードサーバ３００と通信する。具体的には、通信部１１３は、制御部１１５からの指示に応じて、ダウンロードサーバ３００と通信して初期画面およびアプリケーションプログラムをダウンロードするための通信インタフェースである。なお、本実施の形態では、初期画面としてホーム画面２００が扱われる。
【００２０】
出力部１１４は、複数のホーム画面２００のそれぞれを出力することができる。出力されたホーム画面２００は、ディスプレイ１５０に表示される。
【００２１】
制御部１１５は、複数のホーム画面２００のいずれかを選択し、選択したホーム画面２００を、放送画像出力装置１１０の電源オン後の初期画面として出力部１１４に出力させる。本実施の形態では、初期画面は、使用者の操作を受け付けることのできる画面である。
【００２２】
制御部１１５は、例えば、ＣＰＵ（Ｃｅｎｔｒａｌ  Ｐｒｏｃｅｓｓｉｎｇ  Ｕｎｉｔ）等のプロセッサによって実現され、リモコン１７０を介したユーザ要求に応じて、通信部１１３、出力部１１４、および記憶部１１６を制御する。
【００２３】
そして、制御部１１５は、ホーム画面２００のダウンロード処理（本実施の形態では、ホーム画面ダウンロード処理およびアプリダウンロード処理）を実行する。ダウンロード処理の詳細は後ほど説明する。
【００２４】
記憶部１１６は、各種情報を格納する記憶装置である。なお、記憶部１１６は、放送画像出力装置１１０に備えられていなくてもよい。例えば放送画像出力装置１１０の外部のＨＤＤ（Ｈａｒｄ  Ｄｉｓｋ  Ｄｒｉｖｅ）またはフラッシュメモリ等の半導体メモリが、記憶部１１６として扱われてもよい。また、放送画像出力装置１１０の内部または外部に備えられたＲＡＭ（Ｒａｎｄｏｍ  Ａｃｃｅｓｓ  Ｍｅｍｏｒｙ）等のメモリが、記憶部１１６として扱われてもよい。
【００２５】
ホーム画面２００のそれぞれには、例えば図１に示すように、表示領域の部分毎に、受信部１１２により受信した放送に関する放送画像２１０、および、放送画像２１０以外の画像のいずれか一方が配置されている。
【００２６】
ホーム画面２００は、テレビ１００の起動時に表示される初期画面として機能するほか、ユーザによるリモコン１７０の所定操作によって任意のタイミングで表示可能な、テレビ１００におけるデフォルトの画面としても機能する。
【００２７】
本実施の形態では、放送画像２１０として、受信部１１２により受信した放送の再生映像（動画像）がホーム画面２００に表示される。放送画像２１０以外の画像のそれぞれは、本実施の形態では、アプリ画像２２０である。なお、放送画像２１０は第一画像の一例であり、アプリ画像２２０は、第二画像の一例である。
【００２８】
アプリ画像２２０とは、例えば放送画像出力装置１１０が実行可能なアプリケーションプログラム（以降、アプリ（ａｐｐ（ｓ））と称す）に対応付けられた画像である。
【００２９】
つまり、アプリ画像２２０は、アプリが実行されることで表示される画像、アプリの起動のためのアイコン、アプリに処理されるデータに対応するアイコン、または、所定のＷｅｂサイトに対応するアイコン（Ｗｅｂクリップアイコン）などである。
【００３０】
例えば、図１に示すホーム画面２００では、比較的大きな１つの放送画像２１０と、７つのアプリ画像２２０とが配置されている。
【００３１】
なお、複数のアプリ画像２２０、および、これらアプリ画像２２０のそれぞれに対応付けられたアプリは、例えば記憶部１１６に格納されており、各アプリは、制御部１１５に読み出されて実行される。また、ホーム画面２００に配置されたアプリ画像２２０に対応するアプリを、例えば、「ホーム画面２００に配置されたアプリ」と表現する場合もある。
【００３２】
また、記憶部１１６には、放送画像２１０を表示するための放送アプリも格納されており、制御部１１５が放送アプリを実行することで放送画像２１０の表示、ならびに、放送画像２１０の拡大および縮小等の処理が実行される。
【００３３】
さらに、記憶部１１６は、通信部１１３を介してダウンロードサーバ３００からダウンロードしたホーム画面２００のスクリーン情報およびダウンロードしたホーム画面２００に配置されるアプリ（当該アプリに対応するアプリ画像２２０も含む）も格納する。
【００３４】
テレビ１００において、放送画像２１０およびアプリ画像２２０のそれぞれは、ユーザの操作（本実施の形態ではリモコン１７０を用いた操作）による選択が可能である。
【００３５】
例えば、放送画像２１０が選択され、リモコン１７０の決定キーが押下された場合、放送画像２１０は拡大され、例えばディスプレイ１５０の表示領域の全体を用いて表示される。つまり、放送画像２１０は全画面表示される。
【００３６】
また、アプリ画像２２０が選択され、リモコン１７０の決定キーが押下された場合、例えば、アプリ画像２２０に対応付けられたアプリが実行され、当該アプリの処理結果等を示す画像が全画面表示される。
【００３７】
［１−２．放送画像出力装置の基本動作］
次に、実施の形態における放送画像出力装置１１０の基本的な動作について説明する。図３は、実施の形態における放送画像出力装置１１０の基本的な起動時の動作を示すフローチャートである。
【００３８】
制御部１１５は、放送画像出力装置１１０の電源がオンにされた場合（Ｓ１）、複数のホーム画面２００の中から１つのホーム画面２００を選択する（Ｓ２）。
【００３９】
なお、初期画面として選択するホーム画面２００に関する情報は設定情報として記憶部１１６に格納されている。制御部１１５は、記憶部１１６に格納された設定情報に応じてホーム画面２００を選択する。
【００４０】
出力部１１４は、制御部１１５による制御に従って、制御部１１５によって選択されたホーム画面２００を出力する（Ｓ３）。
【００４１】
つまり、制御部１１５は、複数のホーム画面２００の中から選択したホーム画面２００を、電源オン後の初期画面として、出力部１１４に出力させる。具体的には、テレビ１００の電源がユーザによってオンにされることで、放送画像出力装置１１０の電源がオンにされ、その結果、制御部１１５によって選択されたホーム画面２００が、出力部１１４を介してディスプレイ１５０に表示される。
【００４２】
このように、本実施の形態のテレビ１００は、放送画像出力装置１１０を備え、放送画像出力装置１１０は、複数のホーム画面２００のうちの１つのホーム画面２００を、初期画面として出力する。
【００４３】
つまり、テレビ１００の電源がオンにされた場合、互いに異なる種類の複数のホーム画面２００のうちの１つのホーム画面２００が、初期画面として表示される。
【００４４】
なお、「互いに異なる種類の複数のホーム画面２００」とは、表示される画像の種類、レイアウト、または個数などが互いに異なる複数のホーム画面２００のことを意味する。
【００４５】
［１−３．ホーム画面］
次に、図４および図５を用いて、ホーム画面２００の詳細について説明する。図４は、実施の形態におけるホーム画面２００の基本構成の一例を示す図である。
【００４６】
本実施の形態におけるホーム画面２００では、表示領域が複数の部分に区分されている。例えば、図４に示すように、ホーム画面２００における表示領域が、縦４列および横４列（４×４）のグリッド（矩形領域２０１）に区分されている。放送画像２１０およびアプリ画像２２０のそれぞれは、連続する１以上の矩形領域２０１で形成される領域に表示される。
【００４７】
つまり、ホーム画面２００では、表示領域の部分ごとに、放送画像２１０およびアプリ画像２２０のいずれか一方が配置可能である。図４に示す例の場合、放送画像２１０は、縦３列および横３列（３×３）の矩形領域２０１で形成される領域に表示されている。
【００４８】
なお、隣接する矩形領域２０１の間には、背景画像が表示される空隙領域が存在する。つまり、本実施の形態では、表示領域は、空隙を挟んで複数の部分（矩形領域２０１）に区分されている。しかし、複数の矩形領域２０１にまたがって放送画像２１０またはアプリ画像２２０が表示される場合、当該複数の矩形領域２０１において隣接する矩形領域２０１の間の空隙領域は、放送画像２１０またはアプリ画像２２０の表示のための領域として使用される。
【００４９】
また、ホーム画面２００における表示領域の分割数は、４×４には限定されない。例えば、ホーム画面２００を８×８の矩形領域２０１に区分することで、放送画像２１０およびアプリ画像２２０のそれぞれの拡大および縮小を、より多段階に実行することも可能である。
【００５０】
また、ホーム画面２００における、複数の矩形領域２０１の、放送画像２１０またはアプリ画像２２０への割り当てを示す情報（表示位置情報）は、記憶部１１６に格納されている。また、一旦登録されたホーム画面２００の変更、つまり、表示位置情報の更新は可能であり、表示されるアプリ画像２２０の変更も可能である。すなわち、ホーム画面２００は、ユーザによるカスタマイズが可能である。本実施の形態における放送画像出力装置１１０では、さらに、新たなホーム画面２００の追加も可能である。
【００５１】
以下、このようなホーム画面２００の２つの例を、図５を用いて説明する。なお、図５に示す２種類のホーム画面２００は、例えば、テレビ１００の工場出荷時に設定される。
【００５２】
図５の（ａ）は、本実施の形態におけるホーム画面２００の第１の例を示す図である。図５の（ａ）に示すホーム画面２００は、例えば「くらしのホーム」と名付けられたホーム画面２００であり、以下、「くらしのホーム２００ａ」と表記する。
【００５３】
くらしのホーム２００ａは、例えばユーザの一般的な日常生活に必要な情報を効率よくユーザに提供するホーム画面２００である。図５の（ａ）に示す例では、くらしのホーム２００ａには、放送画像２１０に加えて、時計２２１、天気予報２２２、タイマー２２３、写真２２４、カレンダー２２５、メモ２２６、および、広告２２７の、アプリ画像２２０が表示されている。
【００５４】
なお、ホーム画面２００に配置されるアプリ画像２２０（第二画像）の数に特に限定はない。ホーム画面２００に配置されるアプリ画像２２０の数は１であってもよい。
【００５５】
時計２２１は、時刻を表示する時計アプリの画像である。天気予報２２２は、例えば、通信部１１３を介してインターネット経由で取得した天気予報情報を表示する天気予報アプリの画像である。
【００５６】
なお、「アプリの画像」とは、上述のように、アプリを実行することで得られる画像または、アプリの起動のためのアイコン等の、アプリと対応付けられた画像である。
【００５７】
タイマー２２３は、所定の操作により計時を開始するタイマーアプリの画像である。写真２２４は、例えばユーザの所定の操作によって記憶部１１６に格納された写真データを表示する写真アプリの画像である。
【００５８】
カレンダー２２５は、例えば、日ごとの予定等の情報を登録可能なカレンダーアプリの画像である。メモ２２６は、例えば、ユーザの所定の操作により入力されたテキスト情報を蓄積および表示するメモアプリの画像である。
【００５９】
広告２２７は、例えば、通信部１１３を介してインターネット経由で放送画像出力装置１１０が取得した広告画像を表示する広告アプリの画像である。
【００６０】
これらアプリ画像２２０のそれぞれは、静止画、または、少なくとも一部に動画を含む画像である。
【００６１】
例えば、時計２２１は、制御部１１５が時計アプリを実行することで生成される時計の動画を含む画像である。
【００６２】
図５の（ｂ）は、本実施の形態におけるホーム画面２００の第２の例を示す図である。図５の（ｂ）に示すホーム画面２００は、例えば「テレビのホーム」と名付けられたホーム画面２００であり、以下、「テレビのホーム２００ｂ」と表記する。
【００６３】
テレビのホーム２００ｂは、例えば複数の放送番組に関する情報を効率よくユーザに提供するホーム画面２００である。図５の（ｂ）に示す例では、テレビのホーム２００ｂには、放送画像２１０に加えて、裏番組２２８、録画一覧２３０、予約一覧２３１、および、広告２２７の、アプリ画像２２０が表示されている。
【００６４】
裏番組２２８は、放送画像２１０として表示されている放送番組以外の現在放送中の放送番組に関する情報を表示する裏番組アプリの画像である。例えば、放送画像２１０として５チャンネル（ｃｈ．５）の放送番組が表示されている場合、ｃｈ．５以外の各チャンネルの放送番組に関する情報（放送局名、番組名、および放送番組を構成する動画から取得された１つの静止画など）が、裏番組２２８に表示される。
【００６５】
なお、この場合、テレビ１００は、２つのチューナ（第１、第２チューナ）を備えている。例えば、第１チューナが、放送画像２１０として表示する放送番組を受信し、第２チューナが、裏番組２２８に表示すべき各チャンネルをスキャンする。これにより、裏番組２２８に、静止画等の各チャンネルの放送番組に関する情報が表示される。
【００６６】
録画一覧２３０は、例えばテレビ１００に接続されたビデオレコーダ（図示せず）に録画された放送番組の一覧を表示する録画一覧アプリの画像である。例えば、放送画像出力装置１１０が、当該ビデオレコーダから、録画された放送番組の一覧を示す一覧情報を取得し、当該一覧情報を録画一覧アプリで処理することで、録画一覧２３０が得られる。
【００６７】
予約一覧２３１は、例えばテレビ１００に接続されたビデオレコーダ（図示せず）に録画予約された放送番組の一覧を表示する予約一覧アプリの画像である。例えば、放送画像出力装置１１０が、当該ビデオレコーダから、録画予約された放送番組の一覧を示す予約情報を取得し、当該予約情報を予約一覧アプリで処理することで、予約一覧２３１が得られる。
【００６８】
［１−４．ホーム画面のダウンロード処理］
次に、本実施の形態における放送画像出力装置１１０のホーム画面２００のダウンロード処理について説明する。まず、放送画像出力装置１１０が実行するダウンロード処理における基本動作、および、ダウンロードサーバ３００の基本的な構成および動作について、図６Ａ〜図９を用いて説明する。
【００６９】
図６Ａは、実施の形態におけるテレビ１００とダウンロードサーバ３００との関係を示す図である。図６Ｂは、実施の形態における放送画像出力装置１１０が実行する、新規ホーム画面の追加に関する基本的な処理の流れを示すフローチャートである。
【００７０】
図７は、ダウンロード機能を含むホーム画面２００の例を示す図である。図８および図９は、ホーム画面２００のダウンロードのための画面の遷移例を示す図である。具体的には、図８は、追加用画面４００の一例を示す図であり、図９は、ダウンロード実行画面４１０の一例を示す図である。
【００７１】
放送画像出力装置１１０は、上述のように、記憶部１１６に格納している複数のホーム画面２００を切り換えて初期画面として表示することが可能である。放送画像出力装置１１０はさらに、放送画像出力装置１１０に格納されていない新たなホーム画面２００（以下、「新規ホーム画面」ともいう。）についても記憶部１１６へ追加して初期画面として利用することも可能である。
【００７２】
この場合、図６Ａに示すように、テレビ１００が、新規ホーム画面を格納しているインターネット上のダウンロードサーバ３００と通信を行うことにより、新規ホーム画面の記憶部１１６への追加を行う。
【００７３】
具体的には、放送画像出力装置１１０は、新規ホーム画面の追加に係る基本的な処理として、図６Ｂに示す処理を実行する。
【００７４】
放送画像出力装置１１０は、ダウンロードサーバ３００と通信を行い、新規ホーム画面のダウンロード処理を実行する（Ｓ５）。
【００７５】
放送画像出力装置１１０は、ダウンロード処理においてダウンロードサーバ３００からダウンロードされた、当該新規ホーム画面の少なくとも一部を構成するホーム関連情報を、記憶部１１６に記憶させる（Ｓ６）。つまり、簡単にいうと、ダウンロードされた新規ホーム画面が記憶部１１６に記憶される。
【００７６】
放送画像出力装置１１０は、ホーム関連情報を用いて構成された当該新規ホーム画面を、初期画面として出力部１１４に出力させる（Ｓ７）。
【００７７】
なお、放送画像出力装置１１０において、ホーム画面２００（例えば、くらしのホーム２００ａ）に、アプリの変更等のカスタマイズがなされている場合、その後にダウンロードされるくらしのホーム２００ａは、新規ホーム画面として扱われる。
【００７８】
本実施の形態において、放送画像出力装置１１０に複数のホーム画面２００を新規ホーム画面として提供することのできるダウンロードサーバ３００は、放送画像出力装置１１０と通信する通信部３１３と、記憶部３１６と、制御部３１５とを備える。
【００７９】
記憶部３１６には、ホーム画面２００の少なくとも一部を構成するホーム関連情報が記憶されている。制御部３１５は、記憶部３１６から読み出したホーム関連情報を、通信部３１３を介して放送画像出力装置１１０に送信する。放送画像出力装置１１０は、ダウンロードサーバ３００から受信したホーム関連情報を用いて構成された新規ホーム画面を、初期画面として出力することができる。
【００８０】
ホーム関連情報としては、新規ホーム画面に配置されるアプリ画像２２０、アプリ画像２２０の表示位置情報、および、アプリ画像２２０に対応するアプリなどの各種の情報が例示される。
【００８１】
ユーザは、新規ホーム画面をダウンロードする場合、具体的には、図７に示すホーム画面２００に配置されたホーム画面ダウンロードアプリを操作する。これにより、図８および図９の画面がテレビ１００に表示され、ユーザの要求に応じた新規ホーム画面のダウンロード処理が、放送画像出力装置１１０において実行される。
【００８２】
より詳細には、ユーザは、図７に示すホーム画面ダウンロードアプリに対応するアプリ画像２２０であるホーム画面ダウンロード２１１を含むホーム画面２００において、リモコン１７０等の操作によってホーム画面ダウンロード２１１を選択し決定キーを押下する。これにより、ホーム画面ダウンロードアプリが起動する。ホーム画面ダウンロードアプリが起動すると、図８に示す追加用画面４００がディスプレイ１５０に表示される。
【００８３】
追加用画面４００の候補領域４０１には、記憶部１１６に新たに追加可能な複数の新規ホーム画面のスナップショットおよび名前が表示されている。ユーザは、リモコン１７０等の操作によって、追加用画面４００の候補領域４０１を横スクロールさせることで、追加可能な複数の新規ホーム画面を順に表示することができる。
【００８４】
図８の例では、追加用画面４００内に表示される「ゲームのホーム」がフォーカスされ、ユーザがリモコン１７０等の操作によって決定操作すると、図９に示すように、「ゲームのホーム」のダウンロード実行画面４１０が表示される。
【００８５】
図９のダウンロード実行画面４１０は、図８の追加用画面４００で決定された新規ホーム画面の画面イメージを表示するスナップショット４１１と、リストタブ４１２と、説明タブ４１３と、インストールボタン４１４などから構成される。
【００８６】
リストタブ４１２には、新規ホーム画面（本例における「ゲームのホーム」、以下同じ）に配置されているアプリの名称等が表示される。説明タブ４１３には、新規ホーム画面の特徴および内容等が表示される。インストールボタン４１４は、新規ホーム画面の放送画像出力装置１１０へのダウンロードを開始するためのボタンである。
【００８７】
ユーザがインストールボタン４１４を押下すると、新規ホーム画面の表示位置情報等を含むスクリーン情報と新規ホーム画面上に配置されたアプリとが、同時またはユーザが要求したタイミングで放送画像出力装置１１０の記憶部１１６へダウンロードされる。ここで、ダウンロードを行わない場合には、キャンセルボタン４１５を押下することで図８の追加用画面４００または図７のホーム画面２００のいずれかに戻ることができる。
【００８８】
なお、図８および図９に示す追加用画面４００およびダウンロード実行画面４１０を構成する各種の情報は、ダウンロードサーバ３００において、例えば記憶部３１６に記憶されている。ダウンロードサーバ３００は、放送画像出力装置１１０からの要求に応じて、追加用画面４００等を構成する各種の情報を放送画像出力装置１１０に送信する。これにより、テレビ１００に追加用画面４００等が表示される。
【００８９】
［１−４−１．ホーム画面ダウンロード処理］
上述のように、図９に示すダウンロード実行画面４１０に対する操作により、放送画像出力装置１１０は、新規ホーム画面のダウンロード処理を実行する。本実施の形態におけるダウンロード処理には、ホーム画面ダウンロード処理とアプリダウンロード処理とが含まれる。
【００９０】
ホーム画面ダウンロード処理は、第１のダウンロード処理の一例であり、ホーム関連情報である、新規ホーム画面のスクリーン情報をダウンロードする処理である。つまり、新規ホーム画面の表示に関する情報のダウンロードのための処理である。
【００９１】
アプリダウンロード処理は、第２のダウンロード処理の一例であり、ホーム関連情報である、新規ホーム画面に対応付けられた（新規ホーム画面に配置されるアプリ画像２２０に対応する）アプリをダウンロードする処理である。つまり、新規ホーム画面の機能に関する情報のダウンロードのための処理である。
【００９２】
ホーム画面ダウンロード処理とアプリダウンロード処理とは、同時またはユーザが要求したそれぞれのタイミングで実行される。
【００９３】
まずは、ホーム画面ダウンロード処理について、図１０に示す通信シーケンスを用いて説明する。
【００９４】
図１０は、実施の形態のホーム画面ダウンロード処理における通信シーケンスの一例を示す図である。
【００９５】
具体的には、図１０では、放送画像出力装置１１０とダウンロードサーバ３００との間で通信を行い、新規ホーム画面のスクリーン情報を記憶部１１６にダウンロードする場合の、通信シーケンスの一例が示されている。新規ホーム画面のスクリーン情報については、図１２を用いて後述する。
【００９６】
放送画像出力装置１１０は、インターネットに接続した場合、インターネット上のダウンロードサーバ３００と通信を行い、放送画像出力装置１１０の記憶部１１６に保有している端末識別子（端末ＩＤ）をダウンロードサーバ３００へ通知する（Ｓ１１）。
【００９７】
ダウンロードサーバ３００は、端末ＩＤが通知されることで、ダウンロードサーバ３００に接続された放送画像出力装置１１０を認識し、以降の通信シーケンスの送信相手として特定することができる。
【００９８】
端末ＩＤの通知処理後、ユーザは、ホーム画面２００のホーム画面ダウンロード２１１（図７参照）を選択し決定キーを押下することで、ホーム画面ダウンロードアプリを起動する。ユーザはさらに、追加用画面４００において、複数のホーム画面２００の中からダウンロードしたいホーム画面２００選択し、その後に表示される、ダウンロード実行画面４１０のインストールボタン４１４を押下する。これにより、ユーザの所望の新規ホーム画面のダウンロードが開始される（Ｓ１２）。
【００９９】
ホーム画面２００には、スクリーン識別子（スクリーンＩＤ）が予め割り当てられている。ユーザがインストールボタン４１４を押下すると、放送画像出力装置１１０からダウンロードサーバ３００へ、ダウンロードの対象である新規ホーム画面のスクリーンＩＤが通知される（Ｓ１３）。
【０１００】
スクリーンＩＤは、ホーム識別子の一例であり、ダウンロードサーバ３００が保存している複数のホーム画面２００のデータ（ホーム関連情報）を一意に指定できる識別子である。
【０１０１】
ダウンロードサーバ３００は、Ｓ１３で受信したスクリーンＩＤを、Ｓ１１で受信した端末ＩＤにバインドして、放送画像出力装置１１０がどのような種類のホーム画面２００をダウンロードするのかを管理する（Ｓ１４）。
【０１０２】
また、ダウンロードサーバ３００は、ホーム画面２００（新規ホーム画面）を放送画像出力装置１１０にダウンロードする際に、新規ホーム画面に対応したインストール識別子（インストールＩＤ）を発行する。そして、発行したインストールＩＤを、Ｓ１１で受信した端末ＩＤにバインドする（Ｓ１５）。
【０１０３】
１つの端末ＩＤに対応する複数のインストールＩＤは、互いにユニークな値になるように発行されるが、ダウンロードサーバ３００からダウンロードされるホーム画面２００毎にユニークなインストールＩＤが発行されてもよい。
【０１０４】
ここで、ダウンロードサーバ３００で管理するＩＤリスト（管理テーブル）を、図１１を用いて説明する。
【０１０５】
図１１は、実施の形態におけるダウンロードサーバ３００が保持する管理テーブル３５０のデータ構成例を示す図である。
【０１０６】
ダウンロードサーバ３００は、ダウンロードサーバ３００内の記憶部（図示せず）に、例えば図１１に示される管理テーブル３５０を保持している。
【０１０７】
管理テーブル３５０には、放送画像出力装置１１０を識別する端末ＩＤ、ホーム画面２００の種類を識別するスクリーンＩＤ、および、実際に放送画像出力装置１１０にダウンロードされるホーム画面２００と対応付けられたインストールＩＤの組み合わせが登録されている。
【０１０８】
また、管理テーブル３５０には、複数の放送画像出力装置１１０のそれぞれについて、スクリーンＩＤとインストールＩＤとの組み合わせが登録されている。
【０１０９】
これにより、ダウンロードサーバ３００は、どの放送画像出力装置１１０にどのような種類のホーム画面２００が、どのインストールＩＤを用いてダウンロードされているかを把握することが可能になる。
【０１１０】
ここで、図１１に示す管理テーブル３５０では、スクリーンＩＤ“Ｓ００３”のホーム画面２００に対して、“Ｉｎ０００００００２３８４５”と“Ｉｎ０００００００２３３４４４”の２つのインストールＩＤが割り当てられている。これは端末ＩＤが“Ｄ１２３”である放送画像出力装置１１０にスクリーンＩＤ“Ｓ００３”のホーム画面２００（ホーム画面＿Ｓ００３）が実際に２つインストールされていることを示す。
【０１１１】
例えば、放送画像出力装置１１０にホーム画面＿Ｓ００３がインストールされた後にカスタマイズされ、かつ、その後に、デフォルトの状態のホーム画面＿Ｓ００３が放送画像出力装置１１０にインストールされた場合、上記のようにスクリーンＩＤが重複する。
【０１１２】
ダウンロードサーバ３００は、Ｓ１５の処理後、発行したインストールＩＤを放送画像出力装置１１０に通知する（Ｓ１６）。放送画像出力装置１１０は、通知されたインストールＩＤを使用してダウンロード要求をダウンロードサーバ３００へ通知する（Ｓ１７）。
【０１１３】
ダウンロードサーバ３００は、ダウンロード要求を受け、当該ダウンロード要求に含まれるスクリーンＩＤに対応するホーム画面２００（新規ホーム画面）のスクリーン情報を放送画像出力装置１１０へ送信する（Ｓ１８）。放送画像出力装置１１０にダウンロードされたスクリーン情報は、放送画像出力装置１１０の記憶部１１６に、インストールＩＤと対応付けて保存される（Ｓ１９）。
【０１１４】
放送画像出力装置１１０にダウンロードされる、新規ホーム画面のスクリーン情報は、新規ホーム画面の背景画像、新規ホーム画面に配置される１以上のアプリ画像２２０のそれぞれと対応付けられたアプリの識別子（新規ホーム画面に配置される１以上のアプリのアプリＩＤ）、および、１以上のアプリ画像２２０の表示位置情報のうちの少なくとも１つを含む。
【０１１５】
本実施の形態では、スクリーン情報は、ホーム画面２００のタイトル名、壁紙（背景画像）、ホーム画面２００に配置される１以上のアプリのアプリＩＤのリスト（アプリケーションリスト）、それぞれのアプリ（アプリ画像２２０）のホーム画面２００上での配置を示す表示位置情報を含む。
【０１１６】
図１２は、実施の形態におけるスクリーン情報のデータ構成例と、当該スクリーン情報を用いて構成されるホーム画面２００の例とを示す図である。つまり、図１２では、スクリーン情報と、ホーム画面２００と、インストールＩＤとを関連付けて図示している。
【０１１７】
タイトル名１２０１はホーム画面２００のタイトルを示す情報であり、テキストデータとしてダウンロードされる。背景画像１２０２はホーム画面２００の壁紙として扱われる画像であり、例えばＪＰＥＧの画像データとしてダウンロードされる。インストールＩＤ１２１０は、ダウンロードするホーム画面２００を識別するために用いられる識別情報である。
【０１１８】
ホーム画面２００は複数のアプリを配置できることが特徴であるが、これらのアプリを識別するためのアプリＩＤのリストは、アプリケーションリスト１２２０としてダウンロードされる。
【０１１９】
図１２の例では、放送画像２１０のアプリＩＤは“１０００”、時刻表２３２のアプリＩＤは、“１００１”、メモ２２６のアプリＩＤは“１００３”、カレンダー２２５のアプリＩＤは“２０１２”である。また、時計２２１のアプリＩＤは“１０２４”、天気予報２２２のアプリＩＤは“１０２１”、タイマー２２３のアプリＩＤは“１０４２”、写真２２４のアプリＩＤは“２０２２”である。
【０１２０】
なお、上記の「アプリ画像２２０のアプリＩＤ」という表現は、アプリ画像２２０に対応するアプリの識別子（アプリＩＤ）を意味している。つまり、メモ２２６のアプリＩＤが“１００３”である、とは、メモ２２６に対応するメモアプリのアプリＩＤが、“１００３”であることを意味する。このように、これらのアプリＩＤによって、ホーム画面２００に配置される複数のアプリを一意に特定可能である。
【０１２１】
ホーム画面２００では、各アプリがホーム画面２００のどの位置に配置されるかを指定可能である。図１２ではホーム画面２００が縦に４つ横に４つの４×４のグリッドに分けられ（図４参照）、左上から３×３の領域が放送画像２１０を表示するエリア、右上から１×１の領域が時計２２１を表示するエリアとして用いられている。
【０１２２】
これらの配置を特定する情報は、例えば、図１２に示す表示位置情報１２３０のような、番号の配列で表現することができる。表示位置情報１２３０の配列で用いている番号は、アプリケーションリスト１２２０において、何番目のアプリＩＤかを示す。
【０１２３】
例えば、表示位置情報１２３０で用いている“０”は、アプリケーションリスト１２２０の０番目のアプリＩＤ“１０００”を表し、表示位置情報１２３０で用いている“４”は、アプリケーションリスト１２２０の４番目のアプリＩＤ“１０２４”を表す。
【０１２４】
また、表示位置情報１２３０では、要素数が４の配列が縦に４つ並んでいるが、１番目の配列は、ホーム画面２００を４×４のグリッドに分けた場合の、ホーム画面２００の左上から右方向へ４つ分のエリアへの、アプリ（アプリ画像２２０）の割り当てを示している。
【０１２５】
２つめの配列は、上から二列目の左から右方向へ４つ分のエリアへの、アプリ（アプリ画像２２０）の割り当てを示している。
【０１２６】
具体的には、“０”のアプリ、つまり、放送画像２１０は左上から３×３のエリアに表示されることを示し、“４”のアプリ、つまり、時計２２１は、は右上の１×１のエリアに表示されることを示す。
【０１２７】
以上の処理により、放送画像出力装置１１０は、ホーム画面ダウンロード処理を完了し、次にアプリダウンロード処理に移行する。なお、アプリダウンロード処理は、ホーム画面ダウンロード処理に続いて自動で実行してもよいし、ユーザが要求したタイミング（例えば、実際にアプリの起動要求がなされたタイミング）で実行してもよい。
【０１２８】
［１−４−２．アプリダウンロード処理］
図１３は、実施の形態におけるアプリダウンロード処理の基本的な処理の流れを示すフローチャートである。
【０１２９】
アプリダウンロード処理は、放送画像出力装置１１０の制御部１１５によって、以下のように実行される。
【０１３０】
すなわち、制御部１１５は、新規ホーム画面のスクリーン情報を記憶部１１６へ保存した後、保存したアプリケーションリスト１２２０に示される１つのアプリについて、既に放送画像出力装置１１０にインストール済みかどうかを確認する（Ｓ２０）。例えば、アプリケーションリスト１２２０で最初に記載されたアプリについてこの確認が行われる。
【０１３１】
当該アプリがインストール済みでない場合（Ｓ２０でＮｏ）、制御部１１５は、当該アプリを、通信部１１３を介してダウンロードサーバ３００からダウンロードする（Ｓ２１）。これにより、当該アプリが記憶部１１６に記憶される。つまり、当該アプリが放送画像出力装置１１０にインストールされる。
【０１３２】
また、制御部１１５は、当該アプリがインストール済みであり（Ｓ２０でＹｅｓ）、かつ、次のアプリ（例えばアプリケーションリスト１２２０で２番目に記載されたアプリ）がある場合（Ｓ２２でＮｏ）、当該次のアプリについての確認（Ｓ２０）に移行する。
【０１３３】
アプリケーションリスト１２２０に記載されたアプリの全てについてインストール済みの状態になった場合（Ｓ２２でＹｅｓ）、制御部１１５は、アプリダウンロード処理を終了する。
【０１３４】
このように、制御部１１５は、アプリダウンロード処理において、新規ホーム画面に配置される１以上のアプリ画像２２０それぞれと対応付けられたアプリのうち、記憶部１１６に記憶されていないアプリのみをダウンロードする。
【０１３５】
例えば、７つのアプリが配置される新規ホーム画面であって、これら７つのアプリのうちの５つがインストール済み（記憶部１１６に記憶済み）である場合、残りの２つのアプリのみが放送画像出力装置１１０にダウンロードされる。
【０１３６】
つまり、新規ホーム画面のダウンロード処理において、新規ホーム画面から起動可能なアプリであって、記憶部１１６に記憶されていないアプリのみがダウンロードサーバ３００からダウンロードされる。これにより、新規ホーム画面のダウンロード処理を効率よく実行することができる。
【０１３７】
ここで、アプリがインストール済か否かを確認する方法としては、例えば、記憶部１１６に当該アプリのアプリＩＤの存在を示すディレクトリが存在するか否かで確認することが例示される。また、アプリをダウンロードサーバ３００からダウンロードする方法は、様々な従来技術によって実現できるため、詳細な説明は省略する。
【０１３８】
ところで、新規ホーム画面を構成するアプリ（新規ホーム画面に配置されるアプリ）が、放送画像出力装置１１０にインストールされていない場合、当該アプリの起動要求がなされたことをトリガとして当該アプリのダウンロードが実行されてもよい。つまり、ホーム画面ダウンロード処理と共にはアプリダウンロード処理を行わず、新規ホーム画面に配置されたアプリのそれぞれが実際に使用される時にアプリダウンロード処理を行う方法もある。
【０１３９】
具体的な処理の流れを図１４に示す。図１４は、実施の形態におけるアプリダウンロード処理の流れの別の一例を示すフローチャートである。
【０１４０】
放送画像出力装置１１０にダウンロードされた新規ホーム画面において、ユーザのリモコン１７０等の操作によるアプリの起動要求を受け付けた場合（Ｓ２３）、制御部１１５は、当該アプリが放送画像出力装置１１０の記憶部１１６にインストール済みか否かを確認する（Ｓ２４）。当該アプリがすでにインストール済の場合（Ｓ２４でＹｅｓ）、記憶部１１６に保存されているアプリを起動する（Ｓ２５）。
【０１４１】
一方、当該アプリがインストール済みではない場合（Ｓ２４でＮｏ）、当該アプリのダウンロードを実行する（Ｓ２６）。これにより当該アプリが、ダウンロードサーバ３００から放送画像出力装置１１０にダウンロードされる。そして、制御部１１５は、ダウンロードされた当該アプリを起動する（Ｓ２５）。
【０１４２】
このように、新規ホーム画面のダウンロード時（スクリーン情報のダウンロード時）にアプリダウンロード処理を行わずに、アプリが実際に起動される際に、当該アプリのダウンロードを行うことで、新規ホーム画面の、ダウンロード処理の開始から表示までに要する時間を短縮することができる。
【０１４３】
また、新規ホーム画面に配置されているアプリをすべてダウンロードした場合であって、その中の１以上のアプリが実際にはユーザに使われない場合、記憶部１１６の記憶領域が無駄に使われることになる。そこで、上述のように、制御部１１５が、アプリが必要なとき（アプリが起動される場合）に当該アプリをダウンロードすることで、例えば記憶部１１６の使用効率の向上が図られるというメリットがある。
【０１４４】
なお、例えばバージョンが異なる同一のアプリに対して互いに異なるアプリＩＤが付与されている場合、図１３または図１４に示すフローにより、放送画像出力装置１１０において、記憶部１１６に記憶済みのアプリそれぞれのバージョンアップが行われる。例えばアプリＩＤの一部にバージョン番号を含むことで、同一のアプリのバージョンの違いを各々のアプリＩＤで表すことが可能である。
【０１４５】
［１−５．ダウンロード処理の自動実行］
ところで、新規ホーム画面のダウンロード処理中に放送画像出力装置１１０の電源がオフにされた場合（停電等の、ユーザが意図しない場合も含む）、ダウンロード処理は中断する。しかし、放送画像出力装置１１０は、その後に電源をオンにされたときに中断したダウンロード処理を自動的に再開することができる。
【０１４６】
また、ダウンロードサーバ３００は、放送画像出力装置１１０（テレビ１００）の電源がオンされた後に、例えばお勧めのアプリを、放送画像出力装置１１０に自動的にダウンロードさせることも可能である。そこで、放送画像出力装置１１０の電源オン後に、自動的に実行されるダウンロード処理について図１５〜図１７を用いて説明する。
【０１４７】
図１５は、実施の形態における放送画像出力装置１１０の自動的なダウンロード処理における通信シーケンスの一例を示す図である。
【０１４８】
図１６は、実施の形態における管理テーブル３５０のデータ構成の別の一例を示す図である。
【０１４９】
図１７は、実施の形態におけるダウンロードサーバ３００が行うインストールＩＤの比較処理を説明するための図である。
【０１５０】
なお、図１５に示す通信シーケンスにおける放送画像出力装置１１０の処理は、例えばバックグラウンドで実行される処理であり、ユーザのリモコン操作等を必要としない処理である。
【０１５１】
図１５に示すように、放送画像出力装置１１０は、電源オン後に端末ＩＤをダウンロードサーバ３００に通知する（Ｓ３０）。ダウンロードサーバ３００は、管理テーブル３５０から、Ｓ３０で受信した端末ＩＤにバインドされているスクリーンＩＤとインストールＩＤとを読み出す（Ｓ３１）。
【０１５２】
放送画像出力装置１１０は、端末ＩＤの通知後、更に、放送画像出力装置１１０自身にダウンロード済みであるホーム画面２００のインストールＩＤをダウンロードサーバ３００に通知する（Ｓ３２）。
【０１５３】
ダウンロードサーバ３００は、まず、Ｓ３１で読み出した１以上のスクリーンＩＤの中に、インストールＩＤと対応付けられていないスクリーンＩＤ（インストールＩＤが未発行のスクリーンＩＤ）があるか否かを確認する（Ｓ４０）。
【０１５４】
インストールＩＤが未発行のスクリーンＩＤがあれば、そのスクリーンＩＤで特定されるホーム画面２００のダウンロード処理が行われていないことを意味する。
【０１５５】
ここで、当該スクリーンＩＤは、放送画像出力装置１１０からの要求（図１０のＳ１３）ではなく、例えば放送画像出力装置１１０にダウンロードさせるべき新規ホーム画面を示すＩＤとして、ダウンロードサーバ３００が、管理テーブル３５０に登録したものである。
【０１５６】
このような新規ホーム画面としては、新たにリリースされた１以上のアプリが配置されたホーム画面２００、および、管理テーブル３５０（ダウンロード履歴）から推定される、放送画像出力装置１１０のユーザに適したホーム画面２００などが例示される。
【０１５７】
例えば、図１６に示す管理テーブル３５０では、端末ＩＤ“Ｄ１２３”に対応付けられたスクリーンＩＤ“Ｓ８７２”には、インストールＩＤが対応付けられていない。つまり、“Ｓ８７２”は、インストールＩＤが未発行のスクリーンＩＤである。
【０１５８】
この場合、ダウンロードサーバ３００は、端末ＩＤ“Ｄ１２３”の放送画像出力装置１１０に対して、スクリーンＩＤ“Ｓ８７２”を含む、ダウンロード処理の実行要求を行う（Ｓ５０）。当該実行要求を受けた放送画像出力装置１１０は、スクリーンＩＤ“Ｓ８７２”を含む、新規ホーム画面のダウンロード要求を行う（Ｓ５１）。つまり、放送画像出力装置１１０の処理は、図１０に示すＳ１３の処理に移行する。
【０１５９】
これにより、放送画像出力装置１１０では、スクリーンＩＤ“Ｓ８７２”に対応するスクリーン情報のダウンロードおよび保存がなされ、必要に応じて、１以上アプリのダウンロード（図１３または図１４参照）がなされる。その結果、放送画像出力装置１１０の制御部１１５は、スクリーンＩＤ“Ｓ８７２”の新規ホーム画面を、初期画面として出力部１１４に出力させることができる。
【０１６０】
また、ダウンロードサーバ３００は、Ｓ３２で放送画像出力装置１１０から通知されたインストールＩＤと、Ｓ３１で読み出したインストールＩＤとの比較を行う（Ｓ６０）。これらの比較の結果、一致しないインストールＩＤがある場合、当該インストールＩＤで特定されるホーム画面２００のダウンロード処理が中断した可能性がある。
【０１６１】
例えば、ダウンロードサーバ３００のＳ３１の処理において、管理テーブル３５０から、図１７に示すように、端末ＩＤ“Ｄ１２３”の放送画像出力装置１１０に対応付けられた４つのインストールＩＤが読み出された場合を想定する。
【０１６２】
この場合、これら４つのインストールＩＤそれぞれに対応する４つの新規ホーム画面については、ダウンロードサーバ３００において、少なくとも、インストールＩＤの発行および管理テーブル３５０への格納（図１０のＳ１５）までは完了していることが分かる。
【０１６３】
この想定の下で、さらに、Ｓ３２の処理において、端末ＩＤ“Ｄ１２３”の放送画像出力装置１１０から、図１７に示す３つのインストールＩＤが、ダウンロードサーバ３００に通知された場合を想定する。この場合、これら３つのインストールＩＤそれぞれに対応する３つの新規ホーム画面のスクリーン情報は、放送画像出力装置１１０の記憶部１１６に記憶済みであることが分かる。つまり、当該３つの新規ホーム画面については、少なくとも図１０に示されるホーム画面ダウンロード処理が完了していることが分かる。
【０１６４】
すなわち、上記４つのインストールＩＤと、上記３つのインストールＩＤとの比較の結果、一致しないインストールＩＤ“Ｉｎ０００００００４２３９４”については、放送画像出力装置１１０の記憶部１１６に記憶されていないこととが分かる。つまり、当該インストールＩＤに対応するスクリーンＩＤ“Ｓ０９３”のホーム画面２００についてのダウンロード処理は、開始後に中断されたと判断される。
【０１６５】
そのため、ダウンロードサーバ３００は、端末ＩＤ“Ｄ１２３”の放送画像出力装置１１０に対して、インストールＩＤ“Ｉｎ０００００００４２３９４”に対応するスクリーンＩＤ“Ｓ０９３”を特定する。ダウンロードサーバ３００はさらに、特定したスクリーンＩＤ“Ｓ０９３”を含むダウンロード処理の実行要求（再ダウンロード実行要求）を行う（Ｓ７０）。
【０１６６】
再ダウンロード要求を受けた放送画像出力装置１１０は、スクリーンＩＤ“Ｓ０９３”を用いて、新規ホーム画面のダウンロード要求を行う（Ｓ７１）。つまり、放送画像出力装置１１０の処理は、図１０に示すＳ１３の処理に移行し、スクリーンＩＤ“Ｓ０９３”を用いて、中断したダウンロード処理を再開する。具体的には、中断したダウンロード処理がやり直される。
【０１６７】
これにより、放送画像出力装置１１０に、スクリーンＩＤ“Ｓ０９３”に対応するスクリーン情報のダウンロードおよび保存がなされ、必要に応じて、１以上アプリのダウンロード（図１３または図１４参照）がなされる。その結果、放送画像出力装置１１０の制御部１１５は、スクリーンＩＤ“Ｓ０９３”の新規ホーム画面を、初期画面として出力部１１４に出力させることができる。
【０１６８】
［１−６．効果等］
以上のように、本実施の形態において、放送画像出力装置１１０は、放送を受信する受信部１１２と、ダウンロードサーバ３００と通信する通信部１１３と、複数のホーム画面のそれぞれを出力する出力部１１４と、複数のホーム画面２００を記憶する記憶部１１６と、複数のホーム画面２００のいずれかを選択し、選択したホーム画面２００を、放送画像出力装置１１０の電源オン後の初期画面として出力部１１４に出力させる制御部１１５とを備える。
【０１６９】
制御部１１５は、通信部を介して新規ホーム画面のダウンロード処理を実行する。また、制御部１１５は、ダウンロード処理によりダウンロードサーバ３００からダウンロードされた、新規ホーム画面の少なくとも一部を構成するホーム関連情報を記憶部１１６に記憶させる。制御部１１５はさらに、ホーム関連情報を用いて構成された新規ホーム画面を初期画面として出力部１１４に出力させる。
【０１７０】
なお、ホーム画面２００は、表示領域の部分毎に、放送に関する放送画像である第一画像（放送画像２１０）及び放送画像以外の画像である第二画像（アプリ画像２２０）のいずれか一方を配置可能な画面である。本実施の形態では、使用者の操作を受け付けることのできる初期画面として、複数のホーム画面２００のいずれかが出力部１１４から出力され、テレビ１００のディスプレイ１５０に表示される。
【０１７１】
本実施の形態における放送画像出力装置１１０は、上記構成により、ダウンロードサーバ３００に保存された多種多様なホーム画面２００を、ユーザ要求に応じて、または放送画像出力装置１１０の状態に応じて、効率よくダウンロードできる。具体的には、放送画像出力装置１１０は、ダウンロードすべきホーム画面２００を、ホーム関連情報の単位で取得することができる。つまり、放送画像出力装置１１０は、初期画面として使用可能なホーム画面２００の数を、効率よく増加させることができる。
【０１７２】
また、本実施の形態において、放送画像出力装置１１０の制御部１１５は、ダウンロード処理として、ホーム関連情報である、新規ホーム画面のスクリーン情報をダウンロードする第１のダウンロード処理（ホーム画面ダウンロード処理）を実行する。このスクリーン情報には、新規ホーム画面の背景画像、新規ホーム画面に配置される１以上のアプリ画像２２０それぞれと対応付けられたアプリのアプリＩＤ、および、当該１以上のアプリ画像２２０の表示位置情報のうちの少なくとも１つが含まれている。
【０１７３】
この構成によれば、放送画像出力装置１１０は、ダウンロード処理によって、主として新規ホーム画面の表示に関する情報であるスクリーン情報を得ることができる。例えば、スクリーン情報に、新規ホーム画面に対応する複数のアプリＩＤが含まれていることで、これらアプリＩＤに対応するアプリが並べられた新規ホーム画面を生成し出力することができる。つまり、新規ホーム画面のダウンロードおよびその表示に関する処理を効率よく実行することができる。
【０１７４】
また、本実施の形態において、放送画像出力装置１１０の制御部１１５は、新規ホーム画面が、１以上のアプリ画像２２０が配置されるホーム画面２００である場合、ダウンロード処理としてさらに第２のダウンロード処理（アプリダウンロード処理）を実行する。
【０１７５】
このアプリダウンロード処理では、ホーム関連情報である、当該１以上のアプリ画像２２０のそれぞれと対応付けられたアプリがダウンロードされる。
【０１７６】
この構成によれば、新規ホーム画面に１以上のアプリが配置される場合に、当該１以上のアプリが、放送画像出力装置１１０にダウンロードされるため、新規ホーム画面のダウンロード処理が効率よく実行される。
【０１７７】
また、本実施の形態において、放送画像出力装置１１０の制御部１１５は、アプリダウンロード処理において、当該１以上のアプリ画像２２０のそれぞれと対応付けられたアプリのうち、記憶部１１６に記憶されていないアプリをダウンロードする。
【０１７８】
この構成によれば、放送画像出力装置１１０が保持していないアプリのみをダウンロードすることができるため、新規ホーム画面のダウンロード処理がより効率化される。
【０１７９】
また、本実施の形態において、放送画像出力装置１１０の制御部１１５は、ホーム画面ダウンロード処理の実行後に新規ホーム画面を初期画面として出力部１１４に出力させ、かつ、新規ホーム画面に対応付けられたアプリの起動要求がなされた場合に、アプリダウンロード処理を実行する。
【０１８０】
この構成によれば、アプリが実際に起動される際に、当該アプリのダウンロードのための処理が行われるため、新規ホーム画面の、ダウンロード処理の開始から表示までに要する時間（見かけ上のダウンロード時間）を短縮することができる。また、実際に起動されるアプリのみが記憶部１１６に記憶されることになるため、記憶部１１６の使用効率の向上も図られる。
【０１８１】
また、本実施の形態において、放送画像出力装置１１０の制御部１１５は、ダウンロード処理においてさらに、新規ホーム画面と対応付けられたインストールＩＤをダウンロードし、スクリーン情報に対応付けてインストールＩＤを記憶部１１６に記憶させる。制御部１１５は、通信部１１３を介して、記憶部１１６に記憶されているインストールＩＤをダウンロードサーバ３００に送信する。
【０１８２】
この構成によれば、スクリーン情報が記憶部１１６に記憶された場合に、インストールＩＤも記憶される。つまり、放送画像出力装置１１０は、記憶部１１６に記憶されているインストールＩＤをダウンロードサーバ３００に通知することにより、当該スクリーン情報のダウンロードの完了をダウンロードサーバ３００に知らせることができる。
【０１８３】
従って、放送画像出力装置１１０にダウンロードされたホーム画面２００の種類および数などをダウンロードサーバ３００に適切に把握させることができる。そのため、例えば、中断されたダウンロード処理が発生した場合に、放送画像出力装置１１０は、ダウンロードサーバ３００からの要求に応じて、当該ダウンロード処理をやり直すこと等が可能となる。
【０１８４】
また、本実施の形態におけるダウンロードサーバ３００は、放送画像出力装置１１０と通信する通信部３１３と、ホーム画面２００の少なくとも一部を構成するホーム関連情報（スクリーン情報およびアプリなど）を記憶する記憶部３１６と、記憶部３１６から読み出したホーム関連情報を、通信部３１３を介して放送画像出力装置１１０に送信する制御部３１５とを備える。
【０１８５】
この構成によれば、ダウンロードサーバ３００は、初期画面として使用可能なホーム画面２００を、ホーム関連情報の単位で放送画像出力装置１１０に取得させることができる。つまり、放送画像出力装置１１０に、初期画面（ホーム画面２００）を、効率よくダウンロードさせることができる。
【０１８６】
また、本実施の形態において、ダウンロードサーバ３００の制御部３１５は、ホーム関連情報（スクリーン情報）を送信する場合、通信部３１３を介して、ホーム画面２００と対応付けられたインストールＩＤを放送画像出力装置１１０に送信する。制御部３１５はさらに、通信部３１３が当該インストールＩＤを送信した後に、放送画像出力装置１１０の識別子である端末ＩＤを受信し、かつ、当該インストールＩＤを受信しなかった場合、当該ホーム画面２００の識別子であるスクリーンＩＤを、通信部３１３を介して放送画像出力装置１１０に送信する。
【０１８７】
この構成によれば、ダウンロードサーバ３００は、放送画像出力装置１１０に送信済みみのインストールＩＤを、放送画像出力装置１１０から受信しないことで、当該インストールＩＤに対応するホーム画面２００のダウンロード処理が未完了であると判断できる。そのため、ダウンロードサーバ３００は、当該ダウンロード処理のやり直しの要求（再ダウンロード実行要求）を、放送画像出力装置１１０に対して行うことができる。
【０１８８】
この場合、放送画像出力装置１１０は、例えばダウンロード処理の完了または未完了の管理は不要であり、ダウンロードサーバ３００からの要求に応じて処理を進めることで、初期画面（ホーム画面２００）の追加のための処理を完了させることができる。
【０１８９】
また、本実施の形態において、ダウンロードサーバ３００の制御部３１５は、記憶部３１６に、放送画像出力装置１１０を管理する管理テーブル３５０を記憶させる。管理テーブル３５０には、放送画像出力装置１１０の端末ＩＤと、放送画像出力装置１１０に送信した又は送信すべきホーム関連情報に対応するホーム画面２００のスクリーンＩＤと、ホーム関連情報が送信される場合に制御部３１５が発行するインストールＩＤとが対応付けて登録される。制御部３１５はさらに、管理テーブル３５０において、インストールＩＤが対応付けられていないスクリーンＩＤが存在する場合、当該スクリーンＩＤを、通信部３１３を介して、放送画像出力装置１１０に送信する。
【０１９０】
この構成によれば、ダウンロードサーバ３００は、新たに記憶部３１６に追加されたホーム画面２００など、放送画像出力装置１１０にダウンロードさせたいホーム画面２００のスクリーンＩＤを、放送画像出力装置１１０に通知することができる。これにより、放送画像出力装置１１０に、当該ホーム画面２００をダウンロードさせることができる。
【０１９１】
つまり、ダウンロードサーバ３００は、例えば、ダウンロードサーバ３００の管理者側の要求、または、放送画像出力装置１１０のダウンロード履歴等に応じたホーム画面２００を、放送画像出力装置１１０にダウンロードさせることができる。
【０１９２】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１９３】
そこで、以下、他の実施の形態を例示する。
【０１９４】
上記実施の形態では、放送画像出力装置１１０が実行するダウンロード処理は、スクリーン情報をダウンロードするホーム画面ダウンロード処理、および、アプリをダウンロードするアプリダウンロード処理を含むとした。しかしながら、当該ダウンロード処理は、ホーム画面ダウンロード処理とアプリダウンロード処理とに明確に区分けされる必要はない。
【０１９５】
例えば、放送画像出力装置１１０の制御部１１５は、ダウンロード処理において、ホーム関連情報である、新規ホーム画面に配置される１以上のアプリ画像２２０の表示位置情報、および、当該１以上のアプリ画像２２０それぞれと対応付けられたアプリをダウンロードサーバ３００からダウンロードしてもよい。
【０１９６】
放送画像出力装置１１０は、このように、新規ホーム画面における１以上のアプリ画像２２０の配置位置と、当該１以上のアプリ画像２２０に対応する１以上のアプリとを、一連の処理でダウンロードしてもよい。こうすることでも、新規ホーム画面を記憶部１１６に追加することが可能である。
【０１９７】
上記実施の形態におけるスクリーン情報は、図１２に示されるように、各種の情報を含んでいるが、スクリーン情報が含む情報は、一種類の情報のみでもよい。例えば、スクリーン情報は、背景画像１２０２のみを含んでいてもよい。この場合、放送画像出力装置１１０は、例えば、背景画像１２０２のみを表示領域の全面に表示するホーム画面２００を、初期画面として出力することができる。
【０１９８】
また、例えば、スクリーン情報は、アプリケーションリスト１２２０のみを含んでいてもよい。この場合、放送画像出力装置１１０は、例えば、アプリケーションリスト１２２０によって特定される複数のアプリを所定のルールに従って並べたホーム画面２００を、初期画面として出力することができる。
【０１９９】
上記実施の形態では、放送画像出力装置１１０における、アプリの記憶部１１６への追加（図１３、図１４参照）について説明したが、放送画像出力装置１１０の制御部１１５は、例えば、使用される可能性のないアプリの記憶部１１６からの削除を行ってもよい。
【０２００】
制御部１１５は、例えば、記憶部１１６に記憶されている全てのアプリケーションリスト１２２０に示されるアプリＩＤと、記憶部１１６に記憶されている全てのアプリのアプリＩＤとを比較する。これにより、記憶部１１６に記憶され、かつ、全てのアプリケーションリスト１２２０に存在しないアプリが特定される。つまり、いずれのホーム画面２００にも配置されない１以上のアプリが特定される。そこで、制御部１１５は特定された１以上のアプリを削除する。これにより、例えば、記憶部１１６の使用効率の向上が図られる。
【０２０１】
上記実施の形態では、ホーム画面２００の例として示したくらしのホーム２００ａおよびテレビのホーム２００ｂ（図５参照）には、いずれも放送画像２１０が含まれている。しかしながら、ホーム画面２００として、放送画像２１０を含まず、１以上のアプリ画像２２０を含むホーム画面２００が出力部１１４から出力されてもよい。
【０２０２】
また、ホーム画面２００の表示領域の全てが、放送画像２１０またはアプリ画像２２０で埋められていなくてもよい。例えば、くらしのホーム２００ａ（図５の（ａ）参照）において、７つ配置されているアプリ画像２２０のうちの少なくとも１つがなくてもよい。この場合、アプリ画像２２０が配置されていないことにより生じる空領域には、例えば、くらしのホーム２００ａに設定された背景画像１２０２が表示されてもよい。
【０２０３】
上記実施の形態におけるホーム画面２００は、例えば、縦または横にスクロールさせてもよい。これにより、１つのホーム画面２００に配置される放送画像２１０およびアプリ画像２２０の総数を増加させることができる。
【０２０４】
上記実施の形態の放送画像出力装置１１０は、電源がオンにされた後であって、初期画面としてホーム画面２００を出力する前に、例えばテレビ１００の生産者を示すロゴ等の、ホーム画面２００以外の画像を出力してもよい。
【０２０５】
以上のように、本開示における技術の例示として、実施の形態を説明した。そのために、添付図面および詳細な説明を提供した。
【０２０６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２０７】
また、上述の実施の形態は、本開示における技術を例示するためのものであるから、請求の範囲またはその均等の範囲において種々の変更、置き換え、付加、省略などを行うことができる。
【産業上の利用可能性】
【０２０８】
本開示は、ユーザに適した初期画面の提示に係る処理を効率よく実行し、さらにカスタマイズすることができる放送画像出力装置に適用可能である。具体的には、テレビ、ＰＣ、サーバ、携帯端末、ビデオカメラ、およびビデオレコーダ等の電子機器に、本開示は適用可能である。また、同様の機能を実行可能なプログラムを格納したＣＤまたはＤＶＤ等の記録メディアにも本開示は適用可能である。
【符号の説明】
【０２０９】
１００  テレビ
１１０  放送画像出力装置
１１２  受信部
１１３  通信部
１１４  出力部
１１５  制御部
１１６  記憶部
１５０  ディスプレイ
１７０  リモコン
２００  ホーム画面
２０１  矩形領域
２１０  放送画像
２２０  アプリ画像
３００  ダウンロードサーバ
３１３  通信部
３１５  制御部
３１６  記憶部
３５０  管理テーブル
４００  追加用画面
４０１  候補領域
４１０  ダウンロード実行画面
【手続補正２】
【補正対象書類名】特許請求の範囲
【補正対象項目名】全文
【補正方法】変更
【補正の内容】
【特許請求の範囲】
【請求項１】
ダウンロードサーバと通信可能な放送画像出力装置であって、
放送を受信する受信部と、
前記ダウンロードサーバと通信する通信部と、
複数のホーム画面であって、それぞれが、表示領域の部分毎に、前記放送に関する放送画像である第一画像及び前記放送画像以外の画像である第二画像のいずれか一方を配置可能な複数のホーム画面のそれぞれを出力する出力部と、
前記複数のホーム画面を記憶する記憶部と、
前記複数のホーム画面のいずれかを選択し、選択したホーム画面を、前記放送画像出力装置の電源オン後の初期画面として前記出力部に出力させる制御部と、を備え、
前記制御部は、（ａ）前記通信部を介して、前記記憶部に記憶されていないホーム画面である新規ホーム画面のダウンロード処理を実行し、（ｂ）前記ダウンロード処理により前記ダウンロードサーバからダウンロードされた、前記新規ホーム画面の少なくとも一部を構成するホーム関連情報を前記記憶部に記憶させ、かつ、（ｃ）前記ホーム関連情報を用いて構成された前記新規ホーム画面を前記初期画面として前記出力部に出力させる、
放送画像出力装置。
【請求項２】
前記制御部は、前記ダウンロード処理として、前記ホーム関連情報である、前記新規ホーム画面のスクリーン情報をダウンロードする第１のダウンロード処理を実行し、
前記スクリーン情報は、
前記新規ホーム画面の背景画像、前記新規ホーム画面に配置される１以上の第二画像それぞれと対応付けられたアプリケーションプログラムの識別子、および、前記１以上の第二画像の表示位置情報のうちの少なくとも１つを含む、
請求項１に記載の放送画像出力装置。
【請求項３】
前記制御部は、前記新規ホーム画面が、前記１以上の第二画像が配置されるホーム画面である場合、前記ダウンロード処理としてさらに第２のダウンロード処理を実行し、
前記第２のダウンロード処理では、前記ホーム関連情報である、前記１以上の第二画像のそれぞれと対応付けられたアプリケーションプログラムがダウンロードされる、
請求項２に記載の放送画像出力装置。
【請求項４】
前記制御部は、前記第２のダウンロード処理において、前記１以上の第二画像のそれぞれと対応付けられたアプリケーションプログラムのうち、前記記憶部に記憶されていないアプリケーションプログラムをダウンロードする、
請求項３に記載の放送画像出力装置。
【請求項５】
前記制御部は、前記第１のダウンロード処理の実行後に前記新規ホーム画面を前記初期画面として前記出力部に出力させ、かつ、前記新規ホーム画面に対応付けられたアプリケーションプログラムの起動要求がなされた場合に、前記第２のダウンロード処理を実行する、
請求項３または４に記載の放送画像出力装置。
【請求項６】
前記制御部は、
前記ダウンロード処理においてさらに、前記新規ホーム画面と対応付けられたインストール識別子をダウンロードし、前記ホーム関連情報に対応付けて前記インストール識別子を前記記憶部に記憶させ、
前記記憶部に記憶されている前記インストール識別子を、前記通信部を介して前記ダウンロードサーバに送信する、
請求項１〜５のいずれか１項に記載の放送画像出力装置。
【請求項７】
前記制御部は、前記ダウンロード処理において、前記ホーム関連情報である、前記新規ホーム画面に配置される１以上の第二画像の表示位置情報、及び、前記１以上の第二画像それぞれと対応付けられたアプリケーションプログラムを前記ダウンロードサーバからダウンロードする、
請求項１に記載の放送画像出力装置。
【請求項８】
放送画像出力装置と通信可能なダウンロードサーバであって、
前記放送画像出力装置と通信する通信部と、
表示領域の部分毎に、放送に関する放送画像である第一画像及び前記放送画像以外の画像である第二画像のいずれか一方を配置可能なホーム画面の、少なくとも一部を構成するホーム関連情報を記憶する記憶部と、
前記記憶部から読み出した前記ホーム関連情報を、前記通信部を介して前記放送画像出力装置に送信する制御部とを備える、
ダウンロードサーバ。
【請求項９】
前記制御部は、
前記ホーム関連情報を送信する場合、前記通信部を介して、前記ホーム画面と対応付けられたインストール識別子を前記放送画像出力装置に送信し、
前記通信部が、前記インストール識別子を送信した後に前記放送画像出力装置の識別子である端末識別子を受信し、かつ、前記インストール識別子を受信しなかった場合、前記ホーム画面の識別子であるホーム識別子を、前記通信部を介して前記放送画像出力装置に送信する、
請求項８に記載のダウンロードサーバ。
【請求項１０】
前記制御部は、前記記憶部に、前記放送画像出力装置を管理する管理テーブルを記憶させ、
前記管理テーブルには、前記放送画像出力装置の識別子である端末識別子と、前記放送画像出力装置に送信した又は送信すべきホーム関連情報に対応するホーム画面の識別子であるホーム識別子と、前記ホーム関連情報が送信される場合に制御部が発行するインストール識別子とが対応付けて登録されており、
前記制御部はさらに、前記管理テーブルにおいて、インストール識別子が対応付けられていないホーム識別子が存在する場合、当該ホーム識別子を、前記通信部を介して、前記放送画像出力装置に送信する、
請求項８に記載のダウンロードサーバ。
【請求項１１】
ダウンロードサーバと通信可能な放送画像出力装置の制御方法であって、
前記放送画像出力装置は、それぞれが、表示領域の部分毎に、前記放送画像出力装置が受信する放送に関する放送画像及び前記放送画像以外の画像のいずれか一方を配置可能な複数のホーム画面を記憶する記憶部を備え、
前記制御方法は、
前記複数のホーム画面のいずれかを選択し、選択したホーム画面を、前記放送画像出力装置の電源オン後の初期画面として出力部に出力させる出力ステップと、
前記ダウンロードサーバと通信を行い、新規ホーム画面のダウンロード処理を実行するダウンロード処理ステップと、
前記ダウンロード処理ステップにおいて前記ダウンロードサーバからダウンロードされた、前記新規ホーム画面の少なくとも一部を構成するホーム関連情報を前記記憶部に記憶させる記憶ステップとを含み、
前記出力ステップでは、前記ホーム関連情報を用いて構成された前記新規ホーム画面を、前記初期画面として前記出力部に出力させる、
放送画像出力装置の制御方法。
【請求項１２】
放送画像出力装置と通信可能なダウンロードサーバの制御方法であって、
表示領域の部分毎に、放送に関する放送画像である第一画像及び前記放送画像以外の画像である第二画像のいずれか一方を配置可能なホーム画面の少なくとも一部を構成するホーム関連情報を記憶部に記憶させる記憶ステップと、
前記ホーム関連情報を前記記憶部から読み出して前記放送画像出力装置に送信する送信ステップとを含む、
ダウンロードサーバの制御方法。
【手続補正３】
【補正対象書類名】図面
【補正対象項目名】全図
【補正方法】変更
【補正の内容】
【図１】
2015029313.tif 000021
【図２】
2015029313.tif 000022
【図３】
2015029313.tif 000023
【図４】
2015029313.tif 000024
【図５】
2015029313.tif 000025
【図６Ａ】
2015029313.tif 000026
【図６Ｂ】
2015029313.tif 000027
【図７】
2015029313.tif 000028
【図８】
2015029313.tif 000029
【図９】
2015029313.tif 000030
【図１０】
2015029313.tif 000031
【図１１】
2015029313.tif 000032
【図１２】
2015029313.tif 000033
【図１３】
2015029313.tif 000034
【図１４】
2015029313.tif 000035
【図１５】
2015029313.tif 000036
【図１６】
2015029313.tif 000037
【図１７】
2015029313.tif 000038
【国際調査報告】
2015029313.tif 000039
2015029313.tif 000040
2015029313.tif 000041
2015029313.tif 000042